(57)【要約】【課題】遊技媒体貸出装置の内部に格納されている紙幣収納部を、略奪されたリモコンあるいは外部から持ち込まれたリモコンを使用して不正に解錠しようとしても、単にリモコンを用いるだけでは利用許可情報との照合がとれないので解錠することができないセキュリティ性の高い管理を図る。【解決手段】遊技媒体貸出装置に対する無線解錠に際して、一方の無線解錠装置の利用許可情報を他方の無線解錠装置から設定できるように相互に関連付けて登録するという２種類の関連するリモコンを用いることで、紙幣収納部の解錠管理性能を安全に保つ。【選択図】図１
2007330781.tif 000002
【特許請求の範囲】
【請求項１】
紙幣識別部を介して受け入れた紙幣を内部に収納する紙幣収納部と、
外部の無線解錠装置から無線により送信された操作信号を受信する受信部と、
前記無線解錠装置の利用を許可する利用許可情報を記憶する記憶部と、
前記無線解錠装置から送信された操作信号と前記記憶部に記憶されている利用許可情報とを照合し、照合確認を得たとき、操作信号の指示内容に応じた指令を出力する制御部と、
を備えた遊技媒体貸出装置であって、
第１無線解錠装置からの送信利用を許可する利用許可情報を予め記憶しておき、前記第１無線解錠装置から送信された操作信号の照合確認を得たとき、第２無線解錠装置に対する利用許可情報を登録する利用許可情報登録部と、
前記第２無線解錠装置が利用されたとき、該第２無線解錠装置から送信されてきた操作信号と前記利用許可情報登録部に登録されている利用許可情報とを照合することに基づいて、該第２無線解錠装置の有効性を判定する判定部と、
を備えた遊技媒体貸出装置。
【請求項２】
外部から無線により遊技媒体貸出装置に対して操作信号を送信し、該送信されてきた操作信号に基づいて前記遊技媒体貸出装置を無線解錠する無線解錠装置であって、
第１無線解錠装置と第２無線解錠装置とからなり、
前記第１無線解錠装置は、遊技媒体貸出装置に前記第２無線解錠装置の利用許可情報を登録させる登録指示手段を有し、
前記第２無線解錠装置は、前記第１無線解錠装置によって遊技媒体貸出装置に登録された利用許可情報により照合される照合情報を有する
無線解錠装置。
【請求項３】
遊技媒体貸出装置に収納されている紙幣の取り出しを許可する解錠指示を通信許可された無線解錠装置より送信する場合、予め設定されている暗証番号を無線解錠装置に入力操作して一時記憶させた後、該無線解錠装置から前記解錠指示の信号を前記遊技媒体貸出装置に送信することにより、該無線解錠装置から暗証番号の信号を付加した解錠指示の信号が送信され、送信された両信号は遊技媒体貸出装置の制御部で、予め設定された暗証番号と一致したことを確認し、且つ解錠指示の情報であることを確認した場合に、当該遊技媒体貸出装置の制御部が管理する紙幣収納部の施錠を解錠させる
遊技媒体貸出システムの解錠情報管理方法。
【請求項４】
複数の遊技機に並設されると共に、紙幣の受け入れにより当該遊技機に対する遊技媒体の貸出処理を行う複数の遊技媒体貸出装置と、遊技場に設置されている全ての遊技媒体貸出装置との間を通信接続して遊技情報を管理する管理コンピュータと、遊技媒体貸出装置と無線により通信する無線解錠装置とを備えた遊技媒体貸出システムであって、
前記遊技媒体貸出装置は、
真偽判別及び金種判別する紙幣識別部を介して受け入れた紙幣を内部に収納する紙幣収納部と、
前記紙幣収納部からの紙幣の取り出しを許可する解錠状態と、該紙幣収納部からの紙幣の取り出しを規制する施錠状態とに切換えるロック部と、
設定情報を登録する登録用の第１無線解錠装置と登録済みの使用許可された第２無線解錠装置からの操作信号を無線により受信する受信部と、
前記ロック部を解錠するロック解錠情報を記憶するロック解錠情報記憶部と、
前記第１無線解錠装置と第２無線解錠装置の情報を制御部で読取って個別に特定するための特定固有情報を、操作員が識別するための無線解錠装置の識別固有情報と関連付けて記憶する固有情報記憶部と、
前記固有情報記憶部に前記特定固有情報を記憶させるために必要な登録情報を記憶する登録情報記憶部と、
前記各記憶部を備え、第１無線解錠装置または第２無線解錠装置からの操作信号を受け付けることに基づいて、送信された操作信号の指示内容に応じた指令を出力する制御部と、
前記制御部が指令した情報を、遊技島に設置されている全ての遊技媒体貸出装置に対して送信または受信する端末間通信部と、
前記端末間通信部に通信される全ての遊技媒体貸出装置に備えられている前記ロック部を一斉解錠する解錠領域を決定する解錠領域の情報を記憶する解錠領域記憶部と、
前記制御部が実行している現在の制御状態を表示する表示部とを備え、
第１無線解錠装置は、
該第１無線解錠装置を特定する固有情報を記憶する固有情報記憶部と、
該第１無線解錠装置から送信するロック解錠情報を遊技媒体貸出装置のロック解錠情報記憶部に記憶許可させるためのロック解錠情報記憶指示用の入力部と、
該第１無線解錠装置から送信する登録情報を遊技媒体貸出装置の登録情報記憶部に記憶許可させるための登録情報記憶指示用の入力部と、
記憶させたい解錠情報、登録情報及び第２無線解錠装置の固有情報を入力させるための固有情報入力部と、
前記固有情報入力部より入力した情報を前記遊技媒体貸出装置に送信して登録開始するための登録入力部と、
書込みが完了した遊技媒体貸出装置の表示モードを、通常の表示モードに切換えるための書込完了確認入力部と、
該第１無線解錠装置の固有情報を遊技媒体貸出装置の表示部に表示させるための固有情報表示入力部と、
遊技媒体貸出装置に送信される操作信号に前記固有情報を含めて送信する送信部とを備え、
第２無線解錠装置は、
該第２無線解錠装置を特定する固有情報を記憶する固有情報記憶部と、
前記ロック部の解錠情報を入力する解錠情報入力部と、
送信した一台の遊技媒体貸出装置のみ解錠許可状態にする個別解錠許可指示入力部と、
送信した遊技媒体貸出装置と同じ解錠領域の他の複数の遊技媒体貸出装置のロック部を一斉に解錠許可状態にする一斉解錠許可指示入力部と、
個別解錠許可状態または一斉解錠許可状態となっている遊技媒体貸出装置のロック部を解錠させる解錠実行入力部と、
解錠情報入力部より入力された解錠情報を、操作された順に一時的に記憶する解錠情報スタック部と、
該第２無線解錠装置の固有情報を遊技媒体貸出装置に表示させる固有情報表示入力部と、
遊技媒体貸出装置に送信される操作信号に、前記固有情報と前記解錠情報スタック部に記憶されている解錠情報とを含めて送信する送信部とを備えた
遊技媒体貸出システムの解錠情報管理方法。
【請求項５】
前記遊技媒体貸出装置は、
前記管理コンピュータから該遊技媒体貸出装置に対してダウンロードされた更新情報を管理する更新情報管理手段を備えた
請求項４に記載の遊技媒体貸出システムの解錠情報管理方法。
【請求項６】
前記更新情報管理手段は、
前記遊技媒体貸出装置から前記第１無線解錠装置及び第２無線解錠装置の少なくとも一方の無線解錠装置に対して、管理コンピュータからダウンロードされた更新情報を送信して前記無線解錠装置に記憶されている管理情報を更新する
請求項５に記載の遊技媒体貸出システムの解錠情報管理方法。
【請求項７】
前記第２無線解錠装置は、
解錠情報入力部より入力した解錠情報を、操作した順に一時的に記憶する解錠情報スタック部を有し、
前記解錠情報スタック部に記憶され、解錠情報入力部より解錠情報を入力した後、一定時間内に解錠指示入力部を入力操作した場合、固有情報記憶部の固有情報と、前記解錠情報スタック部に操作順に記憶した解錠情報と、解錠指示入力部に入力操作したことを表す解錠信号とを、送信部から遊技媒体貸出装置に送信すると共に、解錠情報スタック部の解錠情報を消去する消去手段を備えた
請求項４に記載の遊技媒体貸出システムの解錠情報管理方法。
【請求項８】
前記第２無線解錠装置は、
解錠情報入力部より解錠情報を入力した後、一定時間操作されない場合は、解錠情報スタック部に記憶されている解錠情報を消去する消去手段を備えた
請求項４に記載の遊技媒体貸出システムの解錠情報管理方法。
【発明の詳細な説明】
【技術分野】
【０００１】
この発明は、パチンコ機あるいはパチスロ機（スロットマシン）などの遊技機に隣設される遊技媒体貸出装置に使用される遠隔管理装置（リモコン）のセキュリティを高める遊技媒体貸出装置、無線解錠装置及び遊技媒体貸出システムの解錠情報管理方法に関する。
【背景技術】
【０００２】
近年、遊技場ではプレーヤの遊技サービス性を高めるために、遊技機ごとに隣設された遊技媒体貸出装置から遊技媒体を容易に記録媒体を貸し出しできるようにして遊技継続を可能にした遊技システムが導入されている。  
この種の遊技システムを導入した場合、その遊技媒体貸出装置からの金銭の回収に際して、遊技場の省スペース化及び低コスト化を図ることができる金銭回収手段が知られている。例えば、遊技島に設置されている多数の遊技媒体貸出装置に対し、遠隔位置からリモコンを用いて無線により解錠信号を送信して各遊技媒体貸出装置の紙幣収納部の施錠を一斉に解錠する無線利用による一斉解錠手段が提案されている(例えば特許文献１参照)。
【０００３】
ところが、この場合は店舗内で紙幣回収者が紙幣を取り出すことのできる場所からリモコンを用いて紙幣収納部の解錠操作を行うので、紙幣収納部が一斉に解錠された際に、紙幣回収者の死角となる場所に隠れていた不審者によって紙幣が略奪される可能性があった。
【０００４】
また、一組の電気施錠装置を用い、リモコンにより暗証番号を入力し、受信側で暗証番号の一致を確認した場合に、解錠するという個別に解錠する解錠方法が提案されている(例えば特許文献２参照)。また、リモコンを用いて遊技島に設置された多数の遊技媒体貸出装置の紙幣収納部に対し、その施錠を無線解錠にて一斉に解錠する一斉解錠方法が提案されている(例えば特許文献３及び特許文献４参照)。
【０００５】
しかしながら、前記特許文献２のリモコンを用いた個別解錠方法や前記特許文献３及び特許文献４に代表されるリモコンを用いた一斉解錠方法の場合は、店舗の営業中に、紙幣収納部が満杯等の理由により、該紙幣収納部からの紙幣の回収を必要とする場合に、操作者（遊技場係員）は遊技媒体貸出装置の前にて解錠用の暗証番号をリモコンから入力操作する必要がある。このため、遊技客を装った不審者によって暗証番号が盗み見されてしまうことがあり、このほか遊技者がリモコン操作者の近くで偶然、暗証番号を見る機会が生じることがあり、不正を誘起する原因になる。その後、不正者がリモコンを入手した場合に、該リモコンを用いて紙幣が略奪されてしまうおそれがあった。
【０００６】
【特許文献１】特開２００２−３３６４１８号公報
【特許文献２】特開平３−２４７８８１号公報
【特許文献３】特開２００５-２１２５６号公報
【特許文献４】特開２００５-１１８３８５号公報
【発明の開示】
【発明が解決しようとする課題】
【０００７】
そこでこの発明は、一方の無線解錠装置の利用許可情報を他方の無線解錠装置から設定できるように設定用と解錠用との２段階の無線解錠にて暗証情報が漏洩することなく紙幣を回収管理する運用方法であり、この運用方法によれば、略奪された無線解錠装置（リモコン）あるいは外部から持ち込まれたリモコンを使用しても容易に解錠できないセキュリティ性の高い遊技媒体貸出装置、無線解錠装置及び遊技媒体貸出システムの解錠情報管理方法を提供することを目的とする。
【課題を解決するための手段】
【０００８】
この発明は、紙幣識別部を介して受け入れた紙幣を内部に収納する紙幣収納部と、外部の無線解錠装置から無線により送信された操作信号を受信する受信部と、前記無線解錠装置の利用を許可する利用許可情報を記憶する記憶部と、前記無線解錠装置から送信された操作信号と前記記憶部に記憶されている利用許可情報とを照合し、照合確認を得たとき、操作信号の指示内容に応じた指令を出力する制御部と、を備えた遊技媒体貸出装置であって、第１無線解錠装置からの送信利用を許可する利用許可情報を予め記憶しておき、前記第１無線解錠装置から送信された操作信号の照合確認を得たとき、第２無線解錠装置に対する利用許可情報を登録する利用許可情報登録部と、前記第２無線解錠装置が利用されたとき、該第２無線解錠装置から送信されてきた操作信号と前記利用許可情報登録部に登録されている利用許可情報とを照合することに基づいて、該第２無線解錠装置の有効性を判定する判定部とを備えた遊技媒体貸出装置であることを特徴とする。
【０００９】
またこの発明は、外部から無線により遊技媒体貸出装置に対して操作信号を送信し、該送信されてきた操作信号に基づいて前記遊技媒体貸出装置を無線解錠する無線解錠装置であって、第１無線解錠装置と第２無線解錠装置とからなり、前記第１無線解錠装置は、遊技媒体貸出装置に前記第２無線解錠装置の利用許可情報を登録させる登録指示手段を有し、前記第２無線解錠装置は、前記第１無線解錠装置によって遊技媒体貸出装置に登録された利用許可情報により照合される照合情報を有する無線解錠装置を構成することができる。
【００１０】
さらにこの発明は、遊技媒体貸出装置に収納されている紙幣の取り出しを許可する解錠指示を通信許可された無線解錠装置より送信する場合、予め設定されている暗証番号を無線解錠装置に入力操作して一時記憶させた後、該無線解錠装置から前記解錠指示の信号を前記遊技媒体貸出装置に送信することにより、該無線解錠装置から暗証番号の信号を付加した解錠指示の信号が送信され、送信された両信号は遊技媒体貸出装置の制御部で、予め設定された暗証番号と一致したことを確認し、且つ解錠指示の情報であることを確認した場合に、当該遊技媒体貸出装置の制御部が管理する紙幣収納部の施錠を解錠させることを特徴とする遊技媒体貸出システムの解錠情報管理方法である。
【００１１】
またこの発明は、複数の遊技機に並設されると共に、紙幣の受け入れにより当該遊技機に対する遊技媒体の貸出処理を行う複数の遊技媒体貸出装置と、遊技場に設置されている全ての遊技媒体貸出装置との間を通信接続して遊技情報を管理する管理コンピュータと、遊技媒体貸出装置と無線により通信する無線解錠装置とを備えた遊技媒体貸出システムであって、前記遊技媒体貸出装置は、真偽判別及び金種判別する紙幣識別部を介して受け入れた紙幣を内部に収納する紙幣収納部と、前記紙幣収納部からの紙幣の取り出しを許可する解錠状態と、該紙幣収納部からの紙幣の取り出しを規制する施錠状態とに切換えるロック部と、設定情報を登録する登録用の第１無線解錠装置と登録済みの使用許可された第２無線解錠装置からの操作信号を無線により受信する受信部と、前記ロック部を解錠するロック解錠情報を記憶するロック解錠情報記憶部と、前記第１無線解錠装置と第２無線解錠装置の情報を制御部で読取って個別に特定するための特定固有情報を、操作員が識別するための無線解錠装置の識別固有情報と関連付けて記憶する固有情報記憶部と、前記固有情報記憶部に前記特定固有情報を記憶させるために必要な登録情報を記憶する登録情報記憶部と、前記各記憶部を備え、第１無線解錠装置または第２無線解錠装置からの操作信号を受け付けることに基づいて、送信された操作信号の指示内容に応じた指令を出力する制御部と、前記制御部が指令した情報を、遊技島に設置されている全ての遊技媒体貸出装置に対して送信または受信する端末間通信部と、前記端末間通信部に通信される全ての遊技媒体貸出装置に備えられている前記ロック部を一斉解錠する解錠領域を決定する解錠領域の情報を記憶する解錠領域記憶部と、前記制御部が実行している現在の制御状態を表示する表示部とを備え、第１無線解錠装置は、該第１無線解錠装置を特定する固有情報を記憶する固有情報記憶部と、該第１無線解錠装置から送信するロック解錠情報を遊技媒体貸出装置のロック解錠情報記憶部に記憶許可させるためのロック解錠情報記憶指示用の入力部と、該第１無線解錠装置から送信する登録情報を遊技媒体貸出装置の登録情報記憶部に記憶許可させるための登録情報記憶指示用の入力部と、記憶させたい解錠情報、登録情報及び第２無線解錠装置の固有情報を入力させるための固有情報入力部と、前記固有情報入力部より入力した情報を前記遊技媒体貸出装置に送信して登録開始するための登録入力部と、書込みが完了した遊技媒体貸出装置の表示モードを、通常の表示モードに切換えるための書込完了確認入力部と、該第１無線解錠装置の固有情報を遊技媒体貸出装置の表示部に表示させるための固有情報表示入力部と、遊技媒体貸出装置に送信される操作信号に前記固有情報を含めて送信する送信部とを備え、第２無線解錠装置は、該第２無線解錠装置を特定する固有情報を記憶する固有情報記憶部と、前記ロック部の解錠情報を入力する解錠情報入力部と、送信した一台の遊技媒体貸出装置のみ解錠許可状態にする個別解錠許可指示入力部と、送信した遊技媒体貸出装置と同じ解錠領域の他の複数の遊技媒体貸出装置のロック部を一斉に解錠許可状態にする一斉解錠許可指示入力部と、個別解錠許可状態または一斉解錠許可状態となっている遊技媒体貸出装置のロック部を解錠させる解錠実行入力部と、解錠情報入力部より入力された解錠情報を、操作された順に一時的に記憶する解錠情報スタック部と、該第２無線解錠装置の固有情報を遊技媒体貸出装置に表示させる固有情報表示入力部と、遊技媒体貸出装置に送信される操作信号に、前記固有情報と前記解錠情報スタック部に記憶されている解錠情報とを含めて送信する送信部とを備えたことを特徴とする遊技媒体貸出システムの解錠情報管理方法である。
【００１２】
この発明の態様として、前記遊技媒体貸出装置は、前記管理コンピュータから該遊技媒体貸出装置に対してダウンロードされた更新情報を管理する更新情報管理手段を備えて構成することができる。
【００１３】
この発明の態様として、前記更新情報管理手段は、前記遊技媒体貸出装置から前記第１無線解錠装置及び第２無線解錠装置の少なくとも一方の無線解錠装置に対して、管理コンピュータからダウンロードされた更新情報を送信して前記無線解錠装置に記憶されている管理情報を更新することができる。
【００１４】
この発明の態様として、前記第２無線解錠装置は、解錠情報入力部より入力した解錠情報を、操作した順に一時的に記憶する解錠情報スタック部を有し、前記解錠情報スタック部に記憶され、解錠情報入力部より解錠情報を入力した後、一定時間内に解錠指示入力部を入力操作した場合、固有情報記憶部の固有情報と、前記解錠情報スタック部に操作順に記憶した解錠情報と、解錠指示入力部に入力操作したことを表す解錠信号とを、送信部から遊技媒体貸出装置に送信すると共に、解錠情報スタック部の解錠情報を消去する消去手段を備えて構成することができる。
【００１５】
この発明の態様として、前記第２無線解錠装置は、解錠情報入力部より解錠情報を入力した後、一定時間操作されない場合は、解錠情報スタック部に記憶されている解錠情報を消去する消去手段を備えて構成することができる。
【発明の効果】
【００１６】
この発明によれば、遊技媒体貸出装置に備えられる紙幣収納部の解錠情報の管理に際して、設定情報用と解錠操作用との役割に分担させた２種類の無線解錠装置を用いることで解錠情報の機密性を高く設定でき、紙幣収納部のセキュリティを高めた運用管理ができる。
【実施例１】
【００１７】
この発明の一実施例を以下図面に基づいて説明する。  
図１はパチンコホール等の遊技場に構築される遊技媒体貸出システムの主要構成図である。この遊技媒体貸出システムは遊技情報を管理する上位の管理コンピュータ１１と、遊技場に設置された多数の遊技媒体貸出装置（以下ユニットと称す）１２との間を、島別などに区分して中継機１３及び通信ライン１３ａを介して接続している。
【００１８】
前記ユニット１２は、１台の遊技機１４と、対をなして各遊技機１４ごとに隣設され、該ユニット１２から紙幣を受け付けると共に、金額情報が付与されたＩＣコイン、プリペイドカードの受け付けを許容し、これらの受け付けた金額情報に応じて遊技媒体を貸し出す。従って、遊技開始時や遊技中にプレーヤの媒体貸出要請に応じて遊技媒体を貸し出すことができる。このため、プレーヤは席を離れずに遊技継続ができる。そして、貸し出された個々のユニット１２での遊技媒体の貸出情報が管理コンピュータ１１にデータ収集されて管理される。この管理コンピュータ１１には遊技場に設置されている図示しないＩＣコイン、プリペイドカード、遊技媒体等の各種販売機、精算機等の売上げデータも合せて収集管理される。
【００１９】
さらに、各ユニット１２には遊技運用上に必要な各種の設定情報を記憶させる記憶テーブルを備えている。例えば、リモコン記憶テーブル１５の場合は、該リモコン記憶テーブル１５と無線解錠装置（以下リモコンと称す）との対応をとって、各リモコンの固有情報や無線解錠に関する設定情報を記憶させている。
【００２０】
図２は縦長で板状に形成されたユニット本体１２ａの前面から紙幣取出用のトレー１６を引出した状態を示すユニット１２の斜視図である。このユニット１２は、ユニット本体１２ａの前面上部から、表示ランプ１７、紙幣挿入口１８を有する縦長のトレー１６と、リモコン番号表示部１９と、リモコン用の受光部（受信部）２０と、取っ手２１と、係員用テンキー２２と、会員カード挿入口２３と、ＩＣコイン挿入口２４と、ＩＣコイン返却口２５と、カード回収箱２６と、その施錠部２７とがこの順に備えられている。ここでは、紙幣の回収時にリモコン操作員によって開操作されるトレー１６の部位が重要であるため、以下トレー１６の開操作と、その管理について説明する。
【００２１】
前記トレー１６は、ユニット本体１２ａの前面からスライドして引出し自在に支持されており、店舗の営業終了時あるいは紙幣満杯時にユニット１２から紙幣を回収する場合に、該トレー１６のロックを解除し、トレー１６を引出して、その内部の紙幣収納部２８を開放させれば、該紙幣収納部２８に収納されている紙幣を回収することができる。このトレー１６の開操作は操作員が携帯するリモコン操作によって行われる。
【００２２】
図３はユニット１２に内蔵されている該ユニット１２の主要部を示す側面図である。このユニット１２の上部にトレー１６と対応する紙幣収納部２８と紙幣識別部２９とが備えられている。その下方にトレーロック部３０と、制御部３１と、ユニット本体ロック部３２と、プリペイドカードやＩＣコインの媒体処理部３３が備えられている。また、ユニット１２は、島の基台に固定されているユニットホルダー３４のコ型部分に着脱自在に収納保持されて固定設置される。
【００２３】
図４はトレーロック部３０のロック状態とロック解除状態とを示した動作説明図である。図４(Ａ)はトレーロック部３０のロック状態を示し、通常、トレー１６は、該トレー１６の上下部が上下のスライドレール３５，３６によって引出方向（図中矢印ａ）にスライド可能に摺動支持された引出待機状態にある。このロック状態では、上下のスライドレール３５，３６のうち、下スライドレール３６の下方からストッパ３７を臨ませ、該ストッパ３７をバネ３８で上向きに押し上げてトレー１６の下部に係止させることにより、該トレー１６の引出しを規制している。このトレー１６の引出しを規制したロック状態では、ストッパ３７の下端に圧縮された状態に取り付けられているバネ３８の伸長とする付勢圧により該ストッパ３７を上動させている。また、このときはユニット本体１２ａに固定されているソレノイド３９をＯＦＦにして、前記バネ３８の付勢作用を働かせている。
【００２４】
図４(Ｂ)はトレーロック部３０のロック解除状態を示し、ソレノイド３９のＯＮによりストッパ３７をバネ３８の付勢力に抗して下方に引き下げることにより、トレー１６の下部を係止していたストッパ３７の係止作用が解かれて、トレー１６はロック解除される。これにより、トレー１６はユニット本体１２ａの前方(矢印方向ａ)に引出可能になる。この場合、トレー１６は、図示しない別のバネで引出方向に付勢されており、ストッパ３７がロック解除された時点でトレー１６がユニット本体１２ａの前面から押し出されて突出する。従って、ロック解除時には、この解除動作に従ってトレー１６がユニット本体１２ａより自動的に引出されることになる。この結果、操作員によるトレー１６の引出操作を省略できるので、操作員は紙幣の回収作業が容易になる。
【００２５】
図５はユニット１２のトレー１６を開操作するために用いられる２種類のリモコンＲ１，Ｒ２を示す平面図である。図５(Ａ)は管理者用の設定リモコンＲ１を示し、図５(Ｂ)は操作員用の開錠リモコンＲ２を示している。
【００２６】
これらのリモコンＲ１，Ｒ２は操作員などが携帯するのに適したカード状を有しており、このうち設定リモコンＲ１は運用管理者によって保管される上位のリモコンであり、１店舗に１個、もしくは予備の設定リモコンＲ１とを合せて合計２個備えられる。さらに、設定リモコンＲ１は、下位のリモコンとして用いられる開錠リモコンＲ２の利用可否情報の設定、あるいは設定変更等に用いられる。
【００２７】
これに対し、開錠リモコンＲ２は店舗で作業する複数の操作員(係員)が携帯し、ユニット１２のトレー１６を開操作させて、その内方の紙幣収納部２８からの毎日の操作員による紙幣の回収作業に用いられる。この開錠リモコンＲ２を用いたトレー１６の開操作（開錠）は、トレーロック部３０のソレノイド３９をＯＮしてロック解除させればよく、営業終了時等の紙幣の回収作業時に実行される。よって、これらの２種類のリモコンＲ１，Ｒ２は各種設定用とトレー開操作用とに役割が分担されており、操作目的に応じて使い分けて使用される。
【００２８】
次に、２種類のリモコンＲ１，Ｒ２の役割が分担された操作機能について説明する。前記設定リモコンＲ１は、上面に、書込み登録ボタンＢ１、全台登録確認ボタンＢ２、コピー設定ボタンＢ３、ペースト設定ボタンＢ４、台／島番号設定ボタンＢ５、リモコン設定ボタンＢ６、パスワード設定ボタンＢ７、カスタマイズ設定ボタンＢ８、テンキーボタンＢ９、リモコン番号表示ボタンＢ１０、機能キーボタンＢ１１との多数のボタン群と、発光部４０を備えている。
【００２９】
前記書込み登録ボタンＢ１は、設定リモコンＲ１からユニット１２に書込み登録する操作信号を送信出力させる場合に入力操作される。  
全台登録確認ボタンＢ２は、ユニット１２が登録済みになったことを操作員が確認する場合に入力操作される。  
コピー設定ボタンＢ３は、設定更新された１台のユニット１２の設定情報を他のユニットに複写させる際の複写情報として送信出力させる場合に入力操作される。  
ペースト設定ボタンＢ４は、前記コピー設定ボタンＢ３で取得した複写情報を、例えば新ユニット等に複写させる場合に入力操作される。  
台／島番号設定ボタンＢ５は、台番号や島番号を変更する場合に入力操作される。  
リモコン設定ボタンＢ６は、リモコン番号等の固有情報をユニット１２に記憶させて利用許可される開錠リモコンＲ２を設定登録する場合に入力操作される。  
パスワード設定ボタンＢ７は、リモコンを特定するパスワードをユニット１２に記憶させて登録する場合に入力操作される。  
カスタマイズ設定ボタンＢ８は、リモコンの使い方を任意に設定変更する場合に用いられる。例えば、パスワードを用いないで直ちに入力操作を可能にするような場合に用いられる。  
テンキーボタンＢ９は、０〜９のテンキーを選択させて番号情報を入力操作させる。  
リモコン番号表示ボタンＢ１０は、リモコン番号を表示させる場合に入力操作される。  
機能キーボタンＢ１１は、特定の操作機能が与えられた入力ボタンであり、その機能を実行する場合に入力操作される。  
発光部４０は、当該リモコンの前端面から操作信号としての赤外線を発光させ、この赤外線をユニット１２の受信部（受光部）２０に受光させて、ユニット１２を無線解錠する。
【００３０】
この設定リモコンＲ１を用いて、ユニット１２の記憶部に開錠リモコンＲ２の利用許可情報を登録させておく。この登録させる利用許可情報としては、１店舗に複数個のリモコンが利用されるため、図１のリモコン記憶テーブル１５に示すように、利用許可されているリモコン番号１５ａと、そのリモコンＩＤ１５ｂを登録させる。
【００３１】
このほかにも、ユニット１２の記憶部には各種の記憶テーブルを有しており、島番号記憶テーブルでは、店舗内に設置されている個々のユニット１２に割り当てられた島番号を記憶している。また、トレーロック部３０をロック解除することに基づいてトレー１６の開操作（開錠）を許可する開錠暗証番号記憶テーブルでは、トレー１６の開操作に対する暗証番号（パスワード）を記憶させている。さらに、登録暗証番号記憶テーブルでは、新規のリモコン登録に対する設定された暗証番号を記憶している。
【００３２】
前記開錠リモコンＲ２は、上面に、エラーリセットボタンＢ２１、機器設定情報／営業履歴表示ボタンＢ２２、送りボタンＢ２３、戻りボタンＢ２４、ホルダーロック解除ボタンＢ２５、一斉解錠許可ボタンＢ２６、個別解錠許可ボタンＢ２７、開操作（開錠）ボタンＢ２８、テンキーボタンＢ２９、リモコン番号表示ボタンＢ３０、機能キーボタンＢ３１との多数のボタン群と、発光部４１を備えている。
【００３３】
前記エラーリセットボタンＢ２１は、入力エラーをリセットする場合に入力操作される。  
機器設定情報／営業履歴表示ボタンＢ２２は、例えば機器台数を表示したり、営業履歴情報を表示させる場合に入力操作される。  
送りボタンＢ２３は、目標値に向けて数値を増加させる場合に入力操作される。  
戻りボタンＢ２４は、目標値に向けて数値を減少させる場合に入力操作される。  
ホルダーロック解除ボタンＢ２５は、ユニットホルダー３４のロックを解除し、ユニット１２を基台から取外す場合に入力操作される。  
一斉解錠許可ボタンＢ２６は、ある特定領域に設置されているユニット、例えば島別のユニットあるいは全台のユニットのロック部を一斉に解錠許可する場合に入力操作される。  
個別解錠許可ボタンＢ２７は、１台のユニットのロック部に対し、個別に解錠許可する場合に入力操作される。  
開操作ボタンＢ２８は、トレーロック部３０のソレノイド３９をＯＮさせてロック解錠し、トレー１６を引き出させる開操作を実行させる場合に入力操作される。  
テンキーボタンＢ２９は、０〜９のテンキーを選択させて番号情報を入力操作させる。  
リモコン番号表示ボタンＢ３０は、当該リモコン番号をユニット１２のリモコン番号表示部１９に表示させる場合に入力操作される。  
機能キーボタンＢ３１は、特定の操作機能が与えられた入力ボタンであり、その機能を実行する場合に入力操作される。  
発光部４１は、当該開錠リモコンＲ２の前端面から操作信号としての赤外線を発光させ、この赤外線をユニット１２の受信部（受光部）２０に受光させて、ユニット１２を無線解錠する。
【００３４】
そして、この開錠リモコンＲ２を用いて、ユニット１２に備えられているトレー１６の開操作を少し離れた位置から実行するものである。この場合、該開錠リモコンＲ２のセキュリティを高めるために、ユニット１２の各記憶テーブルに記憶されているリモコン番号、リモコン特定固有番号（リモコンＩＤ）、パスワード（暗証番号）、割り当てられた島番号等の利用許可情報と該開錠リモコンＲ２から送信されてきた情報とを照合確認する構成をとっている。
【００３５】
次に、ユニット１２と設定リモコンＲ１と開錠リモコンＲ２との関連を図６の制御回路ブロック図に基づいて具体的に説明する。  
まず、ユニット１２はユニット制御部６１に、表示部６２と、紙幣収納部２８と、ロック部６３と、受信部（受光部）２０と、管理コンピュータ通信部を兼ねた端末間通信部６４と、解除暗証番号記憶部６５と、リモコン固有番号記憶部６６と、登録暗証番号記憶部６７と、島番号記憶部６８が接続されている。
【００３６】
前記ユニット制御部６１は、設定リモコンＲ１または開錠リモコンＲ２から送信されてきた操作信号を受信部２０で受信し、この受信した操作信号が適正なとき、その操作信号の指示内容に応じた操作をユニット制御部６１から各部に対して出力する。  
前記表示部６２では、ユニット制御部６１が実行している現在の制御状態を表示するものであって、ユニット１２の表示ランプ１７、リモコン番号表示部１９及びその他の表示部分を点灯表示あるいは点滅表示させる。例えば、設定変更前と設定変更後の制御内容に応じて点灯色を変えて表示させることができる。
【００３７】
紙幣収納部２８では、紙幣挿入口１８に紙幣が挿入されたとき、その内方に備えられている紙幣識別部２９で紙幣を真偽判別及び金種判別し、適正な紙幣であれば、その内方の紙幣収納部２８へと収納させ、偽紙幣や識別不能な紙幣であれば、逆送して紙幣挿入口１８より返却する。
【００３８】
ロック部６３では、トレーロック部３０またはユニット本体ロック部３２に対してロック・ロック解除させる。  
管理コンピュータ１１の通信部を兼ねた端末間通信部６４では、１つのイーサネット（登録商標）ケーブルを複数のプロトコルで使用して、ユニット１２間及び管理コンピュータ１１との間を通信接続する。そして、この端末間通信部６４から他のユニットの端末間通信部６４に、設定情報や開錠情報を一斉に送信（ブロードキャスト）させて通信させることができる。つまり、１台のユニット１２の設定登録が完了すると、そのユニット１２から他のユニットの全てに一斉に送信して、一斉に設定登録させることができる。
【００３９】
解除暗証番号記憶部６５は、トレーロック部３０のロックを解除指示するユニット制御部６１を解錠するロック解錠暗証番号を書込み、及び読出し可能に記憶する。  
リモコン固有番号記憶部６６は、リモコンが店舗で利用されるリモコンであるか否かを判別できるリモコン番号とリモコンＩＤ等のリモコン固有情報を記憶し、さらにリモコンの新規登録ができるようにリモコン固有情報を記憶する。つまり、ユニット制御部６１が設定リモコンＲ１と開錠リモコンＲ２とのそれぞれを個別に識別して特定することができるように、リモコンＩＤと、操作員が識別するためのリモコン番号とを関連付けて記憶する。
【００４０】
登録暗証番号記憶部６７は、前記リモコン固有番号記憶部６６に、前記リモコンＩＤを記憶させるために必要な登録情報を記憶する。  
島番号記憶部６８は、店舗内で利用される各々の開錠リモコンＲ２の利用が許可されている島番号を記憶する。
【００４１】
次に、設定リモコンＲ１は、制御部６９に、前述した各入力ボタンＢ１〜Ｂ１１と、該入力ボタンＢ１〜Ｂ１１の入力操作に伴って送信出力する送信部（発光部）４０と、該設定リモコンＲ１の固有番号を記憶する設定リモコン固有番号記憶部７０が接続されている。そして、運用管理者が設定リモコンＲ１の入力ボタンＢ１〜Ｂ１１を入力操作し、ある特定の設定内容の操作信号をユニット１２の受信部２０に向けて送信させると、これに基づいてユニット１２側では操作信号の指示内容に応じた設定操作がなされる。
【００４２】
次に、開錠リモコンＲ２は、制御部７１に、前述した各入力ボタンＢ２１〜Ｂ３１と、該入力ボタンＢ２１〜Ｂ３１の入力操作に伴って送信出力する送信部（発光部）４１と、入力された暗証番号を、操作された順に一時的に記憶する暗証番号スタック部７２と、該開錠リモコンＲ２の固有番号を記憶する開錠リモコン固有番号記憶部７３が接続されている。そして、操作員が開錠リモコンＲ２の入力ボタンＢ２１〜Ｂ３１を入力操作し、ある島内の領域のユニット１２に対するトレー開操作を指示し、その操作信号をユニット１２の受信部２０に向けて送信させると、これに基づいてユニット１２側ではトレー１６の開指示に応じてトレー１６の開操作がなされる。
【００４３】
従って、前記設定リモコンＲ１から送信された操作信号はユニット制御部６１で照合され、ここで適正な操作信号であると確認したとき、設定対象の開錠リモコンＲ２に対して利用許可情報を登録する。その後、開錠リモコンＲ２が利用されたとき、該開錠リモコンＲ２から送信されてきた操作信号と登録されている利用許可情報とを照合することに基づいて、該開錠リモコンＲ２の有効性を判定することができる。このため、開錠リモコンＲ２を用いたトレー１６の開操作に関するセキュリティを高めることができる。
【００４４】
さらに、開錠リモコンＲ２の制御部７１は、入力された暗証番号を暗証番号スタック部７２で一時的に記憶し、一定時間(例えば３０秒)内に送信完了すれば、その暗証番号を消去する。また、一定時間経過しても送信されない未送信の場合も同様に暗証番号を消去して該暗証番号スタック部７２に暗証番号を残さないようにして開錠リモコン自体のセキュリティを高めている。これにより、仮に不正な手段で開錠リモコンＲ２を入手し、トレー開操作指示の入力操作を行っても、該開錠リモコンＲ２内の暗証番号は消去されているため、不正に暗証番号を使用することができない。
【００４５】
このように、暗証番号等の各種の情報を設定する側と暗証番号を使用する側とに分担させた２種類のリモコンＲ１，Ｒ２を用いてユニット１２のトレー１６を開操作する場合、暗証番号を毎日変更することができるなど任意に設定変更できるため、暗証番号の不正な入手は困難になり、不正に暗証番号が使用される危険性は低下することになる。
【００４６】
また、店舗内で利用される開錠リモコンＲ２の固有番号を、ユニット１２のリモコン固有番号記憶部６６に記憶させているため、正規の開錠リモコンＲ２が利用されるごとに店舗内で利用許可されている開錠リモコンＲ２であることを照合できる。このため、不正に入手された他店舗の不適な開錠リモコンと区別して不適なリモコンの使用を防止できる。さらに、新たな開錠リモコンＲ２をユニット１２に登録する場合は、設定リモコンＲ１を用いて照合確認をとりながらユニット１２の登録暗証番号記憶部６７への登録を許可し、不正に新たな開錠リモコンＲ２が登録されることを防止できる。
【００４７】
ところで、開錠リモコンＲ２からユニット１２に向けて操作信号を送信する場合は、他のユニットに誤って送信されないように、該開錠リモコンＲ２を１台の送信対象のユニット１２の受信部２０に近づけた状態で送信させる必要がある。この場合、開錠リモコンＲ２をユニット１２に近づけた状態で暗証番号を入力操作すると、盗み見されるおそれがあるが、この開錠リモコンＲ２から暗証番号をユニット１２に送信操作するときは、遊技客などに見られないように他所で事前に入力完了させておくことができる。そして、この開錠リモコンＲ２から暗証番号を送信するときはユニット１２の受信部２０に向けて暗証番号を送信させる開操作ボタンＢ２８を１回押下するだけでよい。従って、操作者近くの遊技客などは操作者の暗証番号の入力操作を見ることができず、開錠リモコンＲ２の暗証番号が盗み見される危険性がなくなり、高セキュリティ及び高信頼性のリモコン操作ができる。
【００４８】
さらに、リモコンＲ１，Ｒ２からユニット１２に向けて無線解錠したとき、その無線解錠されたユニット１２のユニット制御部６１が表示色を変更させたり、点滅させたりする表示モードを切換えるように表示制御する機能をユニット制御部６１に持たせている。このため、リモコンＲ１，Ｒ２を用いた操作者に送信完了した旨を表示変更させて確認させることができる。このような表示変更による確認を行わせた場合は、操作者にリモコンの操作結果を確認させることができることから操作者の作業能率が向上する。例えば、開錠リモコンＲ２を用いてトレー１６を一斉解錠許可状態に操作すれば、その時点で一斉解錠許可されたユニット１２の表示が切換わる。このように表示制御すれば、操作員は一斉解錠させたい範囲を確認した上で、トレー１６の一斉解錠操作が行える。このため、不用意に想定外のトレー１６の誤解錠を行うことがなくなり、リモコン操作に適した表示制御ができる。
【００４９】
次に、設定リモコンＲ１と開錠リモコンＲ２を用いた概略の処理動作を図７のフローチャートを参照して説明する。  
図７(Ａ)は設定リモコンＲ１を用いて開錠リモコンＲ２をユニット１２に登録する場合のフローチャート(図１０〜図１２に具体例)を示し、運用管理者は設定リモコンＲ１を用いて、開錠リモコンＲ２が利用できるように、ユニット１２に利用許可する設定情報を登録する(ステップｎ１)。この登録が完了したことを知らせるときは、その旨をユニット１２の表示ランプ１７に表示させ、これを運用管理者に視認させて確認することで該運用管理者はリモコン操作を表示出力によって確認でき、開錠リモコンＲ２の登録処理動作を明確に確認させて終了することができる(ステップｎ２)。
【００５０】
図７(Ｂ)は設定リモコンＲ１を用いてユニット１２に登録されている開錠リモコンＲ２の登録を削除する場合のフローチャート(図１３〜図１５に具体例)を示し、運用管理者は設定リモコンＲ１を用いて、特定の開錠リモコンＲ２に規制をかけて使えなくするために、ユニット１２に登録されている特定の登録情報を削除する(ステップｎ３)。この削除が完了したとき、その旨をユニット１２の表示ランプ１７に表示させ、これを運用管理者に視認させて確認することで該運用管理者はリモコン操作を表示出力によって確認でき、開錠リモコンＲ２の削除処理動作を明確に確認させて終了することができる(ステップｎ４)。
【００５１】
図７(Ｃ)はユニット１２に設定済みの設定リモコンＲ１を用いて、新規の設定リモコンＲ１をユニット１２に登録する場合のフローチャート(図１６〜図１８に具体例)を示し、運用管理者は設定済みの設定リモコンＲ１を用いて、新規購入した設定リモコンＲ１が利用できるように、ユニット１２に登録情報を新規に登録設定する(ステップｎ５)。この登録が完了したときは、ユニット１２の表示ランプ１７を点灯して表示させ、これを運用管理者が見て確認し、運用管理者はリモコン操作を表示出力によって確認でき、新規の設定リモコンＲ１の登録処理動作を明確に確認させて終了することができる(ステップｎ６)。
【００５２】
図７(Ｄ)はユニット１２に設定済みの設定リモコンＲ１を用いて、別の設定リモコンＲ１の登録をユニット１２から削除する場合のフローチャート(図１９〜図２１に具体例)を示し、運用管理者は設定済みの設定リモコンＲ１を用いて、別の設定リモコンＲ１を使えなくするために、ユニット１２に登録されている情報を削除する(ステップｎ７)。この削除が完了したとき、その旨をユニット１２の表示ランプ１７に表示させ、これを運用管理者が見て確認し、確認後は、運用管理者はリモコン操作を表示出力によって確認でき、別の設定リモコンＲ１の削除処理動作を明確に確認させて終了することができる(ステップｎ８)。
【００５３】
次に、リモコンの番号表示、解錠暗証番号の設定、登録暗証番号の設定、一斉解錠の各概略の処理動作を図８のフローチャートを参照して説明する。  
図８(Ａ)はリモコンの番号を表示させる場合のフローチャート(図２２に具体例)を示し、リモコンが登録済みの場合、その登録情報から該リモコンの番号を特定でき、その特定されたリモコン番号をユニット１２のリモコン番号表示部１９に表示させることができる(ステップｎ１１)。これにより、例えばリモコンを紛失した場合は、そのリモコン番号を指定させて、該当するリモコンの登録を削除することができる。
【００５４】
図８(Ｂ)は開錠リモコンＲ２の解錠暗証番号(トレー開操作用のパスワード)を登録する場合のフローチャート(図２３〜図２５に具体例)を示し、運用管理者は設定リモコンＲ１を用いて、操作員の開錠リモコンＲ２が使えるようにユニット２１の解錠暗証番号記憶部６５に解錠暗証番号を記憶させれば登録することができる。この１台のユニット１２への解錠暗証番号の登録が完了すると、これより全てのユニット１２に一斉にブロードキャストにて解錠暗証番号の登録情報を配信させれば、全ユニット１２に解錠暗証番号を登録させることができる(ステップｎ１２)。これらの登録が完了したときは、全ユニット１２の表示ランプ１７に登録完了した旨を表示させ、これを運用管理者が見て確認し、確認後に、運用管理者は設定リモコンＲ１を使って表示ランプ１７の表示を元の状態に戻せば、開錠リモコンＲ２の解錠暗証番号の登録処理動作が終了する(ステップｎ１３)。
【００５５】
図８(Ｃ)は設定リモコンＲ１の登録暗証番号(設定パスワード)を登録する場合のフローチャート(図２６〜図２８に具体例)を示し、運用管理者は設定リモコンＲ１そのものを利用できるようにユニット２１の登録暗証番号記憶部６７に登録暗証番号を記憶させて登録する。この１台のユニット１２への登録暗証番号の登録が完了すると、これより全てのユニット１２に一斉にブロードキャストにて登録暗証番号を配信させて全ユニット１２に登録暗証番号を登録させる(ステップｎ１４)。これらの登録が完了したときは、全ユニット１２の表示ランプ１７に登録完了した旨を表示させ、これを運用管理者が見て確認し、確認後に、運用管理者は設定リモコンＲ１を使って表示ランプ１７の表示を元の状態に戻せば、設定リモコンＲ１の登録暗証番号の登録処理動作が終了する(ステップｎ１５)。
【００５６】
図８(Ｄ)はトレー１６を個別に開錠許可させる場合のフローチャート(図２９及び図３０に具体例)を示し、開錠させたい島内の特定のユニット１２に対して、開錠リモコンＲ２を使って個別に開錠させる操作信号を送信する。このときの操作信号が適正であれば、その操作信号を受け付けて該当するトレー１６の開錠が許可される(ステップｎ１６)。その後、該開錠リモコンＲ２からの開錠信号が送信されることによって該当するトレー１６は開操作される。これにより、該トレー１６内部の紙幣収納部２８からの紙幣の取り出しが可能になり、操作員による紙幣の回収が行われる(ステップｎ１７)。
【００５７】
図８(Ｅ)はトレー１６を一斉開錠許可させる場合のフローチャート(図３１及び図３２に具体例)を示し、トレー１６を開錠させたい島内の任意のユニットに対して、開錠リモコンＲ２を使って一斉開錠させる操作信号を送信する。このとき、送信される情報が適正であれば、同じ島内の各ユニット１２のトレー１６は一斉に開錠許可状態となる(ステップｎ１８)。その後、続けて開錠リモコンＲ２より一斉開錠信号が送信されると、これに基づいて各ユニット１２のトレー１６は一斉に開操作されて、該トレー１６内部の紙幣収納部２８からの操作員による紙幣の回収が可能になる(ステップｎ１９)。
【００５８】
次に、開錠リモコンＲ２の暗証番号スタック部７２の消去処理動作を図９のフローチャートを参照して説明する。  
操作員によって開錠リモコンＲ２に入力操作がなされると(ステップｎ２１)、該開錠リモコンＲ２の制御部７１は、その入力ボタンの種類がテンキーボタンＢ２９以外であれば(ステップｎ２２)、テンキーボタンＢ２９以外の入力は機能キー入力であるため、その操作に相当する操作信号を送信させる(ステップｎ２３)。送信後は暗証番号スタック部７２でのスタック内容を消去し、開錠リモコンＲ２からの入力操作に対する暗証番号スタック部７２での処理は終了する(ステップｎ２４)。
【００５９】
ところで、前記ステップｎ２１で入力操作された場合、その最後の入力操作から例えば３０秒以上経過していれば、ステップｎ２４へ移行して、それまで暗証番号スタック部７２でスタックした内容をクリアして次の入力操作に備える(ステップｎ２５)。
【００６０】
また、前記ステップｎ２２でテンキーボタンＢ２９が入力操作された場合は、暗証番号による重要な入力操作であるため、このテンキーボタンＢ２９の入力情報は暗証番号スタック部７２で操作した順に一時記憶される。その後、一時記憶した入力情報を、開錠リモコンＲ２からユニット１２への送信時に付加して送信させる。送信後は、ステップｎ２４へ移行して、暗証番号スタック部７２でのスタック内容をクリアして消去することにより、開錠リモコンＲ２からの入力操作に対する暗証番号スタック部７２での処理は終了する。
【００６１】
このように、暗証番号を一旦、開錠リモコンＲ２の暗証番号スタック部７２に記憶させるという一時記憶、且つ一定時間後に消去するという機能を開錠リモコンＲ２の制御部７１に持たせることにより、開錠リモコンＲ２に暗証番号を入力操作する時に遊技客等から該暗証番号が盗み見されることを完全に排除することができる(ステップｎ２６)。
【００６２】
次に、開錠リモコンＲ２の具体的な登録処理動作を図１０及び図１１のフローチャートを参照して説明する。  
ユニット１２がリモコン設定状態でない未設定の場合、開錠リモコンＲ２は未登録であり、ユニット制御部６１は受信待ちの登録待機状態にある（ステップｎ３１）。この登録待機状態で、設定リモコンＲ１のリモコン設定ボタンＢ６が押下されることで、リモコン設定信号にリモコンＩＤが付加されて送信される（リモコンステップｒ１）。
【００６３】
前記設定リモコンＲ１から操作信号が送信されてきた場合（ステップｎ３２）、ユニット制御部６１は、送信されてきた操作信号を受信すると、その操作信号に含まれているリモコンＩＤが登録済みであるか否かを判定し（ステップｎ３３）、リモコンＩＤが登録済みであれば、ユニット制御部６１はその送信された情報内容がリモコン設定を要求する内容であるか否かを判定し（ステップｎ３４）、リモコン設定要求の信号であることを確認すれば、そのリモコン番号（リモコンＮｏ.）がテンキーボタンＢ９により入力されるのを待機する（ステップｎ３５）。
【００６４】
前記設定リモコンＲ１からテンキーボタンＢ９によってリモコン番号が入力されることで、入力されたリモコン番号が登録情報の一部となり、この登録情報にリモコンＩＤが付加されて送信される（リモコンステップｒ２）。ユニット制御部６１は設定リモコンＲ１からの操作信号を受信すると、その操作信号に含まれているリモコンＩＤが登録済であるか否かを判定し（ステップｎ３６）、そのリモコンＩＤが登録済であることを確認し、指定されたリモコン番号が未登録であれば（ステップｎ３７）、その登録される開錠リモコンＲ２からのリモコン番号の情報が入力されるのを待機する（ステップｎ３８）。
【００６５】
その後、店舗内で使用したい開錠リモコンＲ２からリモコン番号表示ボタンＢ３０が押下されることで、その操作信号にリモコンＩＤが付加されて送信される（リモコンステップｒ３）。これに伴いユニット制御部６１は、登録済リモコンＩＤを検索し（ステップｎ３９）、未登録のリモコンＩＤと判定すれば（ステップｎ４０）、該ユニット制御部６１は設定リモコンＲ１からの登録情報が入力操作されるのを待機する（ステップｎ４１）。
【００６６】
この登録待機状態で設定リモコンＲ１の登録ボタンＢ１が押下されると、登録信号にリモコンＩＤが付加されてユニット１２に送信される（リモコンステップｒ４）。
【００６７】
ユニット制御部６１は設定リモコンＲ１からの操作信号を受信すると、その操作信号に含まれているリモコンＩＤが登録済であるか否かを判定し（ステップｎ４２）、登録されていれば、開錠リモコン識別用に該開錠リモコンＲ２のリモコンＩＤを先のリモコン番号と関連付けてユニット１２のリモコン固有番号記憶部６６に書込んで記憶させる（ステップｎ４３）。
【００６８】
この１台のユニット１２へのリモコンの登録が完了すると、ユニット制御部６１は店舗内の他のユニット１２に対し、同登録情報を一斉に送信する（ステップｎ４４）。また、１台のユニット１２の登録が完了した旨を表示ランプ１７の色別表示、例えば紫色の点灯によって登録情報の書込みが完了したことを運用管理者に知らせて確認をとることができる（ステップｎ４５）。
【００６９】
前記ステップｎ３２で登録待ち状態のユニット１２に、設定リモコンＲ１からの操作信号がない場合は、未受信の登録待ちなのでユニット制御部６１が、登録済のユニット１２からブロードキャスト受信による情報の取得を要求し、前記ステップｎ４４のブロードキャスト送信が許可されたユニット１２と通信接続する(ステップｎ４６)。ユニット制御部６１はブロードキャスト受信すると、その受信内容にリモコンＩＤが登録されているか否かを判定し(ステップｎ４７)、登録済であることを確認すれば、続いてその受信内容がリモコン登録要求であるか否かを判定し(ステップｎ４８)、リモコン設定(リモコン登録要求)の信号であることを確認すれば、開錠リモコン識別用に該開錠リモコンＲ２のリモコンＩＤとリモコン番号とを関連付けてユニット１２のリモコン固有番号記憶部６６に書込んで記憶させる(ステップｎ４９)。
【００７０】
このブロードキャスト受信によるユニット１２の登録が完了すると、ユニット制御部６１はブロードキャスト受信による登録操作が完了した旨を表示ランプ１７の紫色の点灯によって運用管理者に確認させて開錠リモコンＲ２の登録処理を終了する。これにより、全ユニット１２はリモコン設定状態となる(ステップｎ５０)。なお、ステップｎ３４でリモコン設定でない操作信号の場合はユニット制御部６１が別の処理として制御する(ステップｎ５１)。また、ステップｎ４８でリモコンの登録要求でない処理の場合もユニット制御部６１は別の処理であるため、その別の処理に対応した制御を行う(ステップｎ５２)。
【００７１】
図１２は開錠リモコンＲ２の具体的な登録完了確認の処理動作を示したフローチャートである。  
ユニット制御部６１は前記登録操作が完了すると、確認信号待ちの待機状態にある(ステップｎ６１)。この確認待機状態で設定リモコンＲ１から操作信号が送信されてきた場合(ステップｎ６２)、該設定リモコンＲ１からは登録確認のためのボタンＢ２が押下される。この登録確認するためのボタンＢ２が押下されることで、確認信号にリモコンＩＤが付加されて送信される（リモコンステップｒ１１）。
【００７２】
ユニット制御部６１は設定リモコンＲ１からの確認用の操作信号を受信すると、その操作信号に含まれているリモコンＩＤが登録済であるか否かを判定し（ステップｎ６３）、登録済であれば、利用許可された設定リモコンＲ１であるため、該ユニット制御部６１は書込完了確認し、さらに店舗内の他のユニット１２に対しても登録確認するため、他のユニット１２に同登録確認情報を一斉に送信する（ステップｎ６４）。また、前記１台の登録済のユニット１２に対しては、登録確認が完了したことにより、ユニット制御部６１は表示ランプ１７の点灯色を元に戻す表示制御を行う。例えば、紫色点灯していた状態から青色点灯に切換えて登録情報の書込みが完了したことを運用管理者に確認させる（ステップｎ６５）。
【００７３】
前記ステップｎ６２で登録確認待ち状態のユニット１２に設定リモコンＲ１からの確認用の操作信号がない場合は、ユニット制御部６１が登録済のユニット１２からブロードキャスト受信による登録確認情報を要求し、前記ステップｎ６４のブロードキャスト送信が許可されたユニット１２と通信接続する（ステップｎ６６）。ブロードキャスト受信したユニット１２は、その受信内容にリモコンＩＤが登録済であるか否かを判定し、登録済であることを確認すれば（ステップｎ６７）、その受信内容が書込完了確認の操作信号であることを確認し（ステップｎ６８）、このブロードキャスト受信による書込完了した旨を表示ランプ１７の点灯色の切換によって知らせる。この場合も、元の青色に戻し、運用管理者に確認させて書込完了動作が終了する（ステップｎ６９）。なお、ステップｎ６８で書込完了確認でない他の情報の場合は、その該当する他処理に移行する（ステップｎ７０）。
【００７４】
このように、店舗内で使用可能な開錠リモコンＲ２を予めユニット１２に登録しておくことで、外部リモコン（他店用リモコンなど）の持ち込み使用を排除することができる。ことに、個々の開錠リモコンＲ２に識別用のユニークな情報(特定の番号など)のリモコンＩＤを持たせることができるため、リモコン操作時に、これをユニット制御部６１が取り出してリモコンの適否を照合判定できるので開錠リモコンＲ２のセキュリティを高めることができる。
【００７５】
次に、開錠リモコンＲ２の具体的な削除動作を図１３及び図１４のフローチャートを参照して説明する。  
ユニット制御部６１はリモコンまたはブロードキャストによる受信待ちの待機状態にある（ステップｎ７１）。この登録待機状態で、設定リモコンＲ１のリモコン設定ボタンＢ６が押下されることで、リモコン設定信号にリモコンＩＤが付加されて送信される（リモコンステップｒ２１）。
【００７６】
前記設定リモコンＲ１から操作信号が送信されてきた場合（ステップｎ７２）、ユニット制御部６１は、送信されてきた操作信号を受信すると、その操作信号に含まれているリモコンＩＤが登録済みであるか否かを判定し（ステップｎ７３）、リモコンＩＤが登録済みであれば、ユニット制御部６１はその送信された情報内容がリモコン設定を要求する内容であるか否かを判定し（ステップｎ７４）、リモコン設定要求の信号であることを確認すれば、そのリモコン番号（リモコンＮｏ.）がテンキーボタンＢ９により入力されるのを待機する（ステップｎ７５）。
【００７７】
前記設定リモコンＲ１からテンキーボタンＢ９によってリモコン番号が入力されることで、入力されたリモコン番号が登録情報の一部となり、この登録情報にリモコンＩＤが付加されて送信される（リモコンステップｒ２２）。ユニット制御部６１は設定リモコンＲ１からの操作信号を受信すると、その操作信号に含まれているリモコンＩＤが登録済であるか否かを判定し（ステップｎ７６）、そのリモコンＩＤの登録を確認し、指定されたリモコン番号が登録済であれば（ステップｎ７７）、その登録済の開錠リモコンＲ２のリモコン番号の情報が入力されるのを待機する（ステップｎ７８）。
【００７８】
その後、店舗内で使用規制（登録を削除）したい開錠リモコンＲ２のリモコン番号をユニット１２側で表示させるように設定リモコンＲ１からリモコン番号表示ボタンＢ１０を押下させることで、その操作信号にリモコンＩＤが付加されて送信される（リモコンステップｒ２３）。これに伴いユニット１２では、リモコン番号表示部１９に登録を削除しようとする開錠リモコンＲ２のリモコン番号が表示される。そして、ユニット制御部６１は削除操作を実行する設定リモコンＲ１からの削除情報が入力操作されるのを待機する（ステップｎ７９）。
【００７９】
この削除待機状態で設定リモコンＲ１の登録ボタンＢ１が押下されると、削除信号にリモコンＩＤが付加されてユニット１２に送信される（リモコンステップｒ２４）。
【００８０】
ユニット制御部６１は設定リモコンＲ１からの操作信号を受信すると、その操作信号に含まれているリモコンＩＤが登録済であるか否かを判定し（ステップｎ８０）、登録されていれば、開錠リモコンＲ２の先のリモコン番号と関連付けられているリモコンＩＤをユニット１２のリモコン固有番号記憶部６６から削除する（ステップｎ８１）。
【００８１】
この１台のユニット１２へのリモコンの登録情報の削除が完了すると、ユニット制御部６１は店舗内の他のユニット１２に対して登録を削除するため、他のユニット１２に同削除要求情報を一斉に送信する（ステップｎ８２）。また、１台のユニット１２から特定の開錠リモコンＲ２の登録情報の削除が完了した旨を表示ランプ１７の紫色の点灯によって１個の開錠リモコンＲ２の使用規制の設定が完了したことを運用管理者に確認させることができる（ステップｎ８３）。
【００８２】
前記ステップｎ７２でリモコン情報削除待ち状態のユニット１２に、設定リモコンＲ１からの操作信号がない場合は、未受信の登録待ちなのでユニット制御部６１が、登録済のユニット１２からブロードキャスト受信による情報の取得を要求し、前記ステップｎ８２のブロードキャスト送信が許可されたユニット１２と通信接続する(ステップｎ８４)。ユニット制御部６１はブロードキャスト受信すると、その受信内容にリモコンＩＤが登録されているか否かを判定し(ステップｎ８５)、登録済であることを確認すれば、続いてその受信内容がリモコン削除要求であるか否かを判定し(ステップｎ８６)、リモコン削除設定の信号であることを確認すれば、該当する開錠リモコンＲ２を識別するために該開錠リモコンＲ２に設定されているリモコン番号と関連付けられているリモコンＩＤをユニット１２のリモコン固有番号記憶部６６から削除する(ステップｎ８７)。
【００８３】
このブロードキャスト受信によるユニット１２の登録が完了すると、ユニット制御部６１はブロードキャスト受信による１台での削除処理が完了すると、ユニット制御部６１は完了した旨を表示ランプ１７の紫色の点灯によって運用管理者に確認させて開錠リモコンＲ２の削除処理を終了する(ステップｎ８８)。なお、ステップｎ７４でリモコン設定でない操作信号の場合はユニット制御部６１が別の処理として制御する(ステップｎ８９)。また、ステップｎ８６でリモコンの削除要求でない他の処理の場合もユニット制御部６１は別の処理であるため、その別の処理に対応した制御を行う(ステップｎ９０)。
【００８４】
図１５は開錠リモコンＲ２の具体的な削除完了確認の処理動作を示したフローチャートである。  
ユニット制御部６１は確認信号待ちの待機状態にある(ステップｎ９１)。この確認待機状態で設定リモコンＲ１から操作信号が送信されてきた場合(ステップｎ９２)、該設定リモコンＲ１からは登録確認のためのボタンＢ２が押下される。この登録確認するためのボタンＢ２が押下されることで、確認信号にリモコンＩＤが付加されて送信される（リモコンステップｒ３１）。
【００８５】
ユニット制御部６１は設定リモコンＲ１からの確認用の操作信号を受信すると、その操作信号に含まれているリモコンＩＤが登録済であるか否かを判定し（ステップｎ９３）、登録済であれば、利用許可された設定リモコンＲ１であるため、ユニット制御部６１は書込完了確認し、さらに店舗内の他のユニット１２に対しても登録確認するため、他のユニット１２に同削除確認情報を一斉に送信する（ステップｎ９４）。また、前記１台の登録済のユニット１２に対しては、登録情報を削除した削除確認が完了したことにより、ユニット制御部６１は表示ランプ１７の点灯色を元に戻す表示制御を行う。例えば、紫色点灯していた状態から青色点灯に切換えて登録情報の削除処理（クリア処理）が完了したことを運用管理者に確認させる（ステップｎ９５）。
【００８６】
前記ステップｎ９２で削除確認待ち状態のユニット１２に設定リモコンＲ１からの確認用の操作信号がない場合は、ユニット制御部６１が登録済のユニット１２からブロードキャスト受信による削除確認情報を要求し、前記ステップｎ９４のブロードキャスト送信が許可されたユニット１２と通信接続する（ステップｎ９６）。ブロードキャスト受信したユニット１２は、その受信内容にリモコンＩＤが登録済であるか否かを判定し、登録済であることを確認すれば、利用許可された情報であるため（ステップｎ９７）、そのブロードキャストによる受信内容が削除情報の書込完了であることの確認であれば（ステップｎ９８）、このブロードキャスト受信による削除情報の書込完了した旨を、表示ランプ１７の点灯色の切換により、元の青色に戻し、運用管理者に確認させて削除情報の書込完了動作が終了する（ステップｎ９９）。なお、ステップｎ９８で削除情報の書込完了確認でない他の情報の場合は、その該当する他処理に移行する（ステップｎ１００）。
【００８７】
このように登録済の開錠リモコンＲ２の情報を削除する際は、店舗内で使用中の開錠リモコンＲ２を紛失、破損、盗難にあった場合に実行する。そして、全ユニット１２からリモコンＩＤを削除することで、その特定の開錠リモコンＲ２を店舗内で使用できないようにすることができる。
【００８８】
次に、設定リモコンＲ１の具体的な登録処理動作を図１６及び図１７のフローチャートを参照して説明する。  
ユニット１２がリモコン設定状態でない未設定の場合、ユニット制御部６１は受信待ちの登録待機状態にある（ステップｎ１０１）。この登録待機状態で、設定リモコンＲ１のリモコン設定ボタンＢ６が押下されることで、リモコン設定信号にリモコンＩＤが付加されて送信される（リモコンステップｒ４１）。
【００８９】
前記設定リモコンＲ１から操作信号が送信されてきた場合（ステップｎ１０２）、ユニット制御部６１は、送信されてきた操作信号を受信すると、その操作信号に含まれているリモコンＩＤが登録済みであるか否かを判定し（ステップｎ１０３）、リモコンＩＤが登録済みであれば、ユニット制御部６１はその送信された情報内容がリモコン設定を要求する内容であるか否かを判定し（ステップｎ１０４）、リモコン設定要求の信号であることを確認すれば、そのリモコン番号（リモコンＮｏ.）がテンキーボタンＢ９により入力されるのを待機する（ステップｎ１０５）。
【００９０】
前記設定リモコンＲ１からテンキーボタンＢ９によってリモコン番号が入力されることで、入力されたリモコン番号が登録情報の一部となり、この登録情報にリモコンＩＤが付加されて送信される（リモコンステップｒ４２）。ユニット制御部６１は設定リモコンＲ１からの操作信号を受信すると、その操作信号に含まれているリモコンＩＤが登録済であるか否かを判定し（ステップｎ１０６）、そのリモコンＩＤが登録済であれば指定されたリモコン番号が未登録か否かを判定する（ステップｎ１０７）。そして、ユニット制御部６１はリモコン番号が未登録と判定すれば、その登録される設定リモコンＲ１からのリモコン番号の情報が入力されるのを待機する（ステップｎ１０８）。
【００９１】
その後、設定リモコンＲ１から設定パスワード（暗証番号）を入力させ、且つリモコン番号表示ボタンＢ１０を押下させることで、その操作信号にリモコンＩＤが付加されて送信される（リモコンステップｒ４３）。これに伴いユニット制御部６１は、入力された暗証番号の照合を行い（ステップｎ１０９）、照合確認すれば、登録済リモコンＩＤを検索し（ステップｎ１１０）、未登録のリモコンＩＤと判定すれば（ステップｎ１１１）、該ユニット制御部６１は設定リモコンＲ１からの登録情報が入力操作されるのを待機する（ステップｎ１１２）。
【００９２】
この登録待機状態で設定リモコンＲ１の登録ボタンＢ１が押下されると、登録信号にリモコンＩＤが付加されてユニット１２に送信される（リモコンステップｒ４４）。
【００９３】
ユニット制御部６１は設定リモコンＲ１からの操作信号を受信すると、その操作信号に含まれているリモコンＩＤが登録済であるか否かを判定し（ステップｎ１１３）、登録されていれば、設定リモコン識別用に該設定リモコンＲ１のリモコンＩＤを先のリモコン番号と関連付けてユニット１２のリモコン固有番号記憶部６６に書込んで記憶させる（ステップｎ１１４）。
【００９４】
この１台のユニット１２への設定リモコンＲ１の登録が完了すると、ユニット制御部６１は店舗内の他のユニット１２に対し、同登録情報を一斉に送信する（ステップｎ１１５）。また、１台のユニット１２への特定の設定リモコンＲ１の登録が完了した旨を表示ランプ１７の紫色の点灯によって登録情報の書込みが完了したことを運用管理者に知らせて確認をとることができる（ステップｎ１１６）。
【００９５】
前記ステップｎ１０２で登録待ち状態のユニット１２に、設定リモコンＲ１からの操作信号がない場合は、未受信の登録待ちなのでユニット制御部６１が、登録済のユニット１２からブロードキャスト受信による情報の取得を要求し、前記ステップｎ１１５のブロードキャスト送信が許可されたユニット１２と通信接続する(ステップｎ１１７)。ユニット制御部６１はブロードキャスト受信すると、その受信内容にリモコンＩＤが登録されているか否かを判定し(ステップｎ１１８)、登録済であることを確認すれば、続いてその受信内容がリモコン登録要求であるか否かを判定し(ステップｎ１１９)、リモコン設定(リモコン登録要求)の信号であることを確認すれば、設定リモコン識別用に該開錠リモコンＲ２のリモコンＩＤとリモコン番号とを関連付けてユニット１２のリモコン固有番号記憶部６６に書込んで記憶させる(ステップｎ１２０)。
【００９６】
このブロードキャスト受信によるユニット１２の登録が完了すると、ユニット制御部６１はブロードキャスト受信による登録操作が完了した旨を表示ランプ１７の紫色の点灯によって運用管理者に確認させて設定リモコンＲ１の登録処理を終了する(ステップｎ１２１)。
【００９７】
なお、ステップｎ１０３で操作された設定リモコンＲ１のリモコンＩＤが未登録であると、ユニット制御部６１が判定した場合、該ユニット１２の初期のリモコン設定時などでは登録が全くないため、その設定リモコンＲ１に対する仮登録を行う（ステップｎ１２２）。また、ステップｎ１１８でブロードキャスト受信した受信内容にリモコンＩＤが未登録の場合も、その送信元の設定リモコンＲ１に対して仮登録を行う（ステップｎ１２４）。
【００９８】
また、ステップｎ１０４でリモコン設定でない操作信号の場合はユニット制御部６１が別の処理として制御する(ステップｎ１２３)。また、ステップｎ１１９でリモコンの登録要求でない処理の場合もユニット制御部６１は別の処理であるため、その別の処理に対応した制御を行う(ステップｎ１２５)。
【００９９】
図１８は設定リモコンＲ１の具体的な登録完了確認の処理動作を示したフローチャートである。  
ユニット制御部６１は前記登録操作が完了すると、確認信号待ちの待機状態にある(ステップｎ１３１)。この確認待機状態で設定リモコンＲ１から操作信号が送信されてきた場合(ステップｎ１３２)、該設定リモコンＲ１からは登録確認のためのボタンＢ２が押下される。この登録確認するためのボタンＢ２が押下されることで、確認信号にリモコンＩＤが付加されて送信される（リモコンステップｒ５１）。
【０１００】
ユニット制御部６１は設定リモコンＲ１からの確認用の操作信号を受信すると、その操作信号に含まれているリモコンＩＤが登録済であるか否かを判定し（ステップｎ１３３）、登録済であれば、利用許可された設定リモコンＲ１であるため、該ユニット制御部６１は書込完了確認し、さらに店舗内の他のユニット１２に対しても登録確認するため、他のユニット１２に同登録確認情報を一斉に送信する（ステップｎ１３４）。また、前記１台の登録済のユニット１２に対しては、登録確認が完了したことにより、ユニット制御部６１は表示ランプ１７の点灯色を元に戻す表示制御を行う。例えば、紫色点灯していた状態から青色点灯に切換えて登録情報の書込みが完了したことを運用管理者に確認させる（ステップｎ１３５）。
【０１０１】
前記ステップｎ１３２で登録確認待ち状態のユニット１２に設定リモコンＲ１からの確認用の操作信号がない場合は、ユニット制御部６１が登録済のユニット１２からブロードキャスト受信による登録確認情報を要求し、前記ステップｎ６４のブロードキャスト送信が許可されたユニット１２と通信接続する（ステップｎ１３６）。ブロードキャスト受信したユニット１２は、その受信内容にリモコンＩＤが登録済であるか否かを判定し、登録済であることを確認すれば（ステップｎ１３７）、その受信内容が書込完了確認の操作信号であることを確認し（ステップｎ１３８）、このブロードキャスト受信による書込完了した旨を表示ランプ１７の点灯色の切換によって知らせる。この場合も、元の青色に戻し、運用管理者に書込完了したことを確認させて書込完了動作が終了する（ステップｎ１３９）。なお、ステップｎ１３８で書込完了確認でない他の情報の場合は、その該当する他処理に移行する（ステップｎ１４０）。
【０１０２】
次に、設定リモコンＲ１の具体的な削除動作を図１９及び図２０のフローチャートを参照して説明する。  
ユニット制御部６１はリモコンまたはブロードキャストによる受信待ちの待機状態にある（ステップｎ１４１）。この登録待機状態で、設定リモコンＲ１のリモコン設定ボタンＢ６が押下されることで、リモコン設定信号にリモコンＩＤが付加されて送信される（リモコンステップｒ６１）。
【０１０３】
前記設定リモコンＲ１から操作信号が送信されてきた場合（ステップｎ１４２）、ユニット制御部６１は、送信されてきた操作信号を受信すると、その操作信号に含まれているリモコンＩＤが登録済みであるか否かを判定し（ステップｎ１４３）、リモコンＩＤが登録済みであれば、ユニット制御部６１はその送信された情報内容がリモコン設定を要求する内容であるか否かを判定し（ステップｎ１４４）、リモコン設定要求の信号であることを確認すれば、そのリモコン番号（リモコンＮｏ.）がテンキーボタンＢ９により入力されるのを待機する（ステップｎ１４５）。
【０１０４】
前記設定リモコンＲ１からテンキーボタンＢ９によってリモコン番号が入力されることで、入力されたリモコン番号が登録情報の一部となり、この登録情報にリモコンＩＤが付加されて送信される（リモコンステップｒ６２）。ユニット制御部６１は設定リモコンＲ１からの操作信号を受信すると、その操作信号に含まれているリモコンＩＤが登録済であるか否かを判定し（ステップｎ１４６）、リモコンＩＤが登録済であることを確認し、入力指定されたリモコン番号が登録済であれば（ステップｎ１４７）、その登録済の設定リモコンＲ１のリモコン番号の情報が入力されるのを待機する（ステップｎ１４８）。
【０１０５】
その後、設定リモコンＲ１から設定パスワード（暗証番号）を入力させ、且つリモコン番号をユニット１２側で表示させるように設定リモコンＲ１からリモコン番号表示ボタンＢ１０を押下させることで、その操作信号にリモコンＩＤが付加されて送信される（リモコンステップｒ６３）。これに伴いユニット１２では、リモコン番号表示部１９に登録を削除しようとする設定リモコンＲ１のリモコン番号が表示される。そして、ユニット制御部６１は入力された暗証番号の照合を行い（ステップｎ１４９）。照合確認すれば、ユニット制御部６１は削除操作を実行する設定リモコンＲ１からの削除情報が入力操作されるのを待機する（ステップｎ１５０）。
【０１０６】
この削除待機状態で設定リモコンＲ１の登録ボタンＢ１が押下されると、削除信号にリモコンＩＤが付加されてユニット１２に送信される（リモコンステップｒ６４）。
【０１０７】
ユニット制御部６１は設定リモコンＲ１からの操作信号を受信すると、その操作信号に含まれているリモコンＩＤが登録済であるか否かを判定し（ステップｎ１５１）、登録されていれば、設定リモコンＲ１の先のリモコン番号と関連付けられているリモコンＩＤをユニット１２のリモコン固有番号記憶部６６から削除する（ステップｎ１５２）。
【０１０８】
この１台のユニット１２に対する設定リモコンＲ１の登録情報の削除処理が完了すると、ユニット制御部６１は店舗内の他のユニット１２に対して登録を削除するため、他のユニット１２に同削除要求情報を一斉に送信する（ステップｎ１５３）。また、１台のユニット１２から特定の設定リモコンＲ１の登録情報の削除が完了した旨を表示ランプ１７の紫色の点灯によって設定リモコンＲ１の使用規制の設定が完了したことを運用管理者に確認させることができる（ステップｎ１５４）。
【０１０９】
前記ステップｎ１４２でリモコン情報削除待ち状態のユニット１２に、設定リモコンＲ１から操作信号がない場合は、未受信の登録待ちなのでユニット制御部６１が、登録済のユニット１２からのブロードキャスト受信による情報の取得を要求し、前記ステップｎ１５３のブロードキャスト送信が許可されたユニット１２と通信接続する(ステップｎ１５５)。ユニット制御部６１はブロードキャスト受信すると、その受信内容にリモコンＩＤが登録されているか否かを判定し(ステップｎ１５６)、登録済であることを確認すれば、続いてその受信内容がリモコン削除要求であるか否かを判定し(ステップｎ１５７)、リモコン削除設定の信号であることを確認すれば、設定リモコン識別用に該設定リモコンＲ１に設定されているリモコン番号と関連付けられているリモコンＩＤをユニット１２のリモコン固有番号記憶部６６から削除する(ステップｎ１５８)。
【０１１０】
このブロードキャスト受信によるユニット１２の登録が完了すると、ユニット制御部６１はブロードキャスト受信による１台での削除処理が完了すると、ユニット制御部６１は完了した旨を表示ランプ１７の紫色の点灯によって運用管理者に確認させて設定リモコンＲ１の削除処理を終了する(ステップｎ１５９)。
【０１１１】
なお、ステップｎ１４３で操作された設定リモコンＲ１のリモコンＩＤが未登録の場合は、その送信元の設定リモコンＲ１に対して仮登録を行う(ステップｎ１６０)。また、ステップｎ１５６でブロードキャスト受信した受信内容にリモコンＩＤが未登録の場合も、その送信元の設定リモコンＲ１に対して仮登録を行う（ステップｎ１６２）。また、ステップｎ１４４でリモコン設定でない操作信号の場合はユニット制御部６１が別の処理として制御する(ステップｎ１６１)。また、ステップｎ１５７でリモコンの削除要求でない他の処理の場合もユニット制御部６１は別の処理であるため、その別の処理に対応した制御を行う(ステップｎ１６３)。
【０１１２】
図２１は設定リモコンＲ１の具体的な削除完了確認の処理動作を示したフローチャートである。  
ユニット制御部６１は確認信号待ちの待機状態にある(ステップｎ１７１)。この確認待機状態で設定リモコンＲ１から操作信号が送信されてきた場合(ステップｎ１７２)、該設定リモコンＲ１からは登録確認のためのボタンＢ２が押下される。この登録確認するためのボタンＢ２が押下されることで、確認信号にリモコンＩＤが付加されて送信される（リモコンステップｒ７１）。
【０１１３】
ユニット制御部６１は設定リモコンＲ１からの確認用の操作信号を受信すると、その操作信号に含まれているリモコンＩＤが登録済であるか否かを判定し（ステップｎ１７３）、登録済であれば、利用許可された設定リモコンＲ１であるため、ユニット制御部６１は書込完了確認し、さらに店舗内の他のユニット１２に対しても登録確認するため、他のユニット１２に同削除確認情報を一斉に送信する（ステップｎ１７４）。また、前記１台の登録済のユニット１２に対しては、登録情報を削除した削除確認が完了したことにより、ユニット制御部６１は表示ランプ１７の点灯色を元に戻す表示制御を行う。例えば、紫色点灯していた状態から青色点灯に切換えて登録情報の削除処理（クリア処理）が完了したことを運用管理者に確認させる（ステップｎ１７５）。
【０１１４】
前記ステップｎ１７２で削除確認待ち状態のユニット１２に設定リモコンＲ１からの確認用の操作信号がない場合は、ユニット制御部６１が登録済のユニット１２からブロードキャスト受信による削除確認情報を要求し、前記ステップｎ１７４のブロードキャスト送信が許可されたユニット１２と通信接続する（ステップｎ１７６）。ブロードキャスト受信したユニット１２は、その受信内容にリモコンＩＤが登録済であるか否かを判定し、登録済であることを確認すれば、利用許可された情報であるため（ステップｎ１７７）、そのブロードキャストによる受信内容が削除情報の書込完了であることの確認であれば（ステップｎ１７８）、このブロードキャスト受信による削除情報の書込完了した旨を、表示ランプ１７の点灯色の切換により、元の青色に戻し、運用管理者に書込完了したことを確認させて削除情報の書込完了動作が終了する（ステップｎ１７９）。なお、ステップｎ１７８で削除情報の書込完了確認でない他の情報の場合は、その該当する他処理に移行する（ステップｎ１８０）。
【０１１５】
図２２はリモコンの番号を表示させる場合の具体的な処理動作を示したフローチャートである。  
ユニット制御部６１はリモコンまたはブロードキャストによる受信待ちの待機状態にある(ステップｎ１８１)。この受信待機状態で開錠リモコンＲ２のリモコン番号表示ボタンＢ３０が押されて、リモコン番号表示信号にリモコンＩＤが付加されて送信されてきた場合（リモコンステップｒ８１）、
ユニット制御部６１は開錠リモコンＲ２からの操作信号を受信すると、その操作信号に含まれているリモコンＩＤが登録済であるか否かを判定し（ステップｎ１８２）、ユニット制御部６１がリモコンＩＤを照合して適正な送信情報と判定すれば、その情報内容がリモコン番号表示を要求する内容であるか否かを判定し（ステップｎ１８３）、
ユニット制御部６１はリモコン番号表示要求の信号であることを確認すれば、ユニット１２のリモコン固有番号記憶部６６から要求対応する登録済リモコンＩＤのリモコン番号を検索し（ステップｎ１８４）、登録済の場合は、関連付けられているため、その検索結果のリモコン番号をユニット１２のリモコン番号表示部１９に表示させる（ステップｎ１８５）。なお、ステップｎ１８３でリモコン番号表示でない操作信号の場合は、別の処理であるためユニット制御部６１は、その別の処理に応じた制御を行う（ステップｎ１８６）。
【０１１６】
これにより、各リモコンの番号を簡単にユニット１２のリモコン番号表示部１９に表示させて確認することができる。例えば、リモコンの故障、破損、紛失したような場合に廃棄したい目的のリモコンの登録情報を容易に取出させて削除処理できる。
【０１１７】
ところで、設定リモコンＲ１の番号を表示させる場合の説明とそのフローチャートは、先に図２２で述べた開錠リモコンＲ２の番号を表示させる説明及びそのフローチャートと同じであり、開錠リモコンＲ２の番号表示か設定リモコンＲ１の番号表示かが異なるだけで、番号表示動作は同じであるため、その同じ処理動作を表すフローチャートとその説明は省略する。
【０１１８】
次に、開錠（トレーロック解除用）パスワードを登録する場合の具体的な登録処理動作を図２３及び図２４のフローチャートを参照して説明する。  
通常、ユニット１２はユニット制御部６１がリモコンまたはブロードキャストによって受信待ちの待機状態にある（ステップｎ１９１）。この待機状態で、設定リモコンＲ１のパスワード設定ボタンＢ７が押下されると、設定リモコンＲ１から送信されるパスワード設定信号にリモコンＩＤが付加されて送信される（リモコンステップｒ９１）。
【０１１９】
前記設定リモコンＲ１から操作信号が送信されてきた場合（ステップｎ１９２）、ユニット制御部６１は、送信されてきた操作信号を受信すると、その操作信号に含まれているリモコンＩＤが登録済みであるか否かを判定し（ステップｎ１９３）、リモコンＩＤが登録済みであれば、ユニット制御部６１はその送信された情報内容がパスワードの設定を要求する内容であるか否かを判定し（ステップｎ１９４）、パスワード設定要求の信号であることを確認すれば、設定リモコンＲ１からパスワード設定情報が入力されるのを待機する（ステップｎ１９５）。
【０１２０】
前記設定リモコンＲ１からテンキーボタンＢ９によって現在のパスワードを入力した後、書込み登録ボタンＢ１を押す。これにより、入力された現在のパスワードの登録情報が送信される際にリモコンＩＤが付加されて送信される（リモコンステップｒ９２）。ユニット制御部６１は設定リモコンＲ１から操作信号を受信すると、その操作信号に含まれているリモコンＩＤが登録済であるか否かを判定し（ステップｎ１９６）、リモコンＩＤが登録済であれば、入力指定された現在のパスワードを照合し、適正であれば（ステップｎ１９７）、有効な設定リモコンＲ１であるため、その設定リモコンＲ１から新規のパスワードを受け付け許可し、登録すべき設定リモコンＲ１からの新パスワードの情報が入力されるのを待機する（ステップｎ１９８）。
【０１２１】
その後、設定リモコンＲ１からテンキーボタンＢ９を介して１回目の新パスワードが入力されると、そのときの操作信号にリモコンＩＤが付加されてユニット１２へと送信される（リモコンステップｒ９３）。これに伴いユニット制御部６１では、登録済リモコンＩＤを検索し、登録済のリモコンＩＤと判定すれば（ステップｎ１９９）、該ユニット制御部６１は入力間違いのないように新パスワードを２回入力させる（ステップｎ２００）。そして、設定リモコンＲ１から再び新パスワードの２回目が入力操作されると（リモコンステップｒ９４）、
ユニット制御部６１は２回打ちされた新パスワードの照合を行い（ステップｎ２０１）。一致していれば（ステップｎ２０２）、その新パスワードを上書きして解除暗証番号記憶部６５に記憶させる（ステップｎ２０３）。
【０１２２】
この１台のユニット１２へのパスワードの登録が完了すると、ユニット制御部６１は店舗内の他のユニット１２に対し、同登録情報を一斉に送信する（ステップｎ２０４）。また、１台のユニット１２の登録が完了した旨を表示ランプ１７の色別表示出力によって運用管理者に知らせることができる。例えば、紫色の点灯によって登録情報の書込みが完了したことを運用管理者に視認させることができる。この結果、運用管理者よりリモコン操作を表示出力によって確認をとることができる（ステップｎ２０５）。
【０１２３】
前記ステップｎ１９２で登録待ち状態のユニット１２に、設定リモコンＲ１から操作信号がない場合は、未受信の登録待ちなのでユニット制御部６１が、登録済のユニット１２からブロードキャスト受信による情報の取得を要求し、前記ステップｎ２０４のブロードキャスト送信が許可されたユニット１２と通信接続する(ステップｎ２０６)。ユニット制御部６１はブロードキャスト受信すると、その受信内容にリモコンＩＤが登録されているか否かを判定し(ステップｎ２０７)、登録済であることを確認すれば、続いてその受信内容がパスワード登録要求であるか否かを判定し(ステップｎ２０８)、パスワード設定の信号であることを確認すれば、リモコンＩＤとリモコン番号とを関連付けてユニット１２の解除暗証番号記憶部６５に書込んで記憶させる(ステップｎ２０９)。
【０１２４】
このブロードキャスト受信によるユニット１２の登録が完了すると、ユニット制御部６１はブロードキャスト受信による登録操作が完了した旨を表示ランプ１７の紫色の点灯によって、運用管理者に確認させることができ、リモコン操作を明確に確認させて開錠パスワードの登録処理を終了する。これにより、全ユニット１２はリモコン設定状態となる(ステップｎ２１０)。なお、ステップｎ１９４でパスワード設定でない操作信号の場合は、ユニット制御部６１が別の処理として制御する(ステップｎ２１１)。また、ステップｎ２０８でパスワードの登録要求でない処理の場合も、ユニット制御部６１は別の処理であるため、その別の処理に対応した制御を行う(ステップｎ２１２)。
【０１２５】
図２５はトレー１６を開操作させるキー情報としてのパスワードを登録した場合の具体的な登録完了確認の処理動作を示したフローチャートである。  
ユニット制御部６１は前記パスワードの登録操作が完了すると、確認待ちの待機状態にある(ステップｎ２２１)。この確認待機状態で設定リモコンＲ１から操作信号が送信されてきた場合(ステップｎ２２２)、該設定リモコンＲ１からは登録確認のためのボタンＢ２が押下される。この登録確認用のボタンＢ２が押下されることで、確認信号にリモコンＩＤが付加されて送信される（リモコンステップｒ１０１）。
【０１２６】
ユニット制御部６１は設定リモコンＲ１からの操作信号を受信すると、その操作信号に含まれているリモコンＩＤが登録済であるか否かを判定し（ステップｎ２２３）、登録済であれば、利用許可された設定リモコンＲ１であるため、該ユニット制御部６１は書込完了確認し、さらに店舗内の他のユニット１２に対しても登録確認するため、他のユニット１２に同登録確認情報を一斉に送信する（ステップｎ２２４）。また、前記１台の登録済のユニット１２に対しては、登録が完了したことにより、ユニット制御部６１は表示ランプ１７の点灯色を元に戻す表示制御を行う。例えば、紫色に点灯していた状態から青色の点灯に切換えて登録情報の書込みが完了したことを運用管理者に確認させる（ステップｎ２２５）。
【０１２７】
前記ステップｎ２２２で登録確認待ち状態のユニット１２に、設定リモコンＲ１からの確認用の操作信号がない場合は、ユニット制御部６１が登録済のユニット１２からブロードキャスト受信による登録確認情報を要求し、前記ステップｎ２２４のブロードキャスト送信が許可されたユニット１２と通信接続する（ステップｎ２２６）。ブロードキャスト受信したユニット１２は、その受信内容にリモコンＩＤが登録済であるか否かを判定し、登録済であることを確認すれば（ステップｎ２２７）、その受信内容が書込完了確認の操作信号であることを確認して（ステップｎ２２８）、このブロードキャスト受信による書込完了した旨を表示ランプ１７の点灯色の切換えによって知らせる。この場合も、元の青色に戻し、運用管理者に書込完了したことを確認させて、書込完了動作が終了する（ステップｎ２２９）。なお、ステップｎ２２８で書込完了確認でない他の情報の場合は、その該当する他処理に移行する（ステップｎ２３０）。
【０１２８】
次に、設定パスワードを登録する場合の具体的な登録処理動作を図２６及び図２７のフローチャートを参照して説明する。  
通常、ユニット１２はユニット制御部６１がリモコンまたはブロードキャストによって受信待ちの待機状態にある（ステップｎ２３１）。この待機状態で、設定リモコンＲ１のパスワード設定ボタンＢ７が押下されると、設定リモコンＲ１から送信されるパスワード設定信号にリモコンＩＤが付加されて送信される（リモコンステップｒ１１１）。
【０１２９】
前記設定リモコンＲ１から操作信号が送信されてきた場合（ステップｎ２３２）、ユニット制御部６１は、送信されてきた操作信号を受信すると、その操作信号に含まれているリモコンＩＤが登録済みであるか否かを判定し（ステップｎ２３３）、リモコンＩＤが登録済みであれば、ユニット制御部６１はその送信された情報内容がパスワードの設定を要求する内容であるか否かを判定し（ステップｎ２３４）、パスワード設定要求の信号であることを確認すれば、設定リモコンＲ１からパスワード設定情報が入力されるのを待機する（ステップｎ２３５）。
【０１３０】
前記設定リモコンＲ１からテンキーボタンＢ９によって設定パスワードを入力する。これにより、入力された現在のパスワードの登録情報が送信される際にリモコンＩＤが付加されて送信される（リモコンステップｒ１１２）。ユニット制御部６１は設定リモコンＲ１から操作信号を受信すると、その操作信号に含まれているリモコンＩＤが登録済であるか否かを判定し（ステップｎ２３６）、リモコンＩＤが登録済であれば、設定パスワードの送信情報かを照合し、設定パスワードの送信情報であれば（ステップｎ２３７）、有効な設定リモコンＲ１であるため、その設定リモコンＲ１から現在のパスワードを受け付け許可し、登録すべき設定リモコンＲ１からの現在のパスワードの情報が入力操作されるのを待機する（ステップｎ２３８）。
【０１３１】
その後、設定リモコンＲ１からテンキーボタンＢ９によって現在のパスワードを入力した後、書込み登録ボタンＢ１を押す。これにより、入力された現在のパスワードの登録情報が送信された際に、リモコンＩＤが付加されて送信される（リモコンステップｒ１１３）。これに伴いユニット制御部６１では、登録済リモコンＩＤを検索し（ステップｎ２３９）、登録済のリモコンＩＤと判定すれば、現在のパスワードの照合を行い。一致すれば（ステップｎ２４０）、ユニット制御部６１は新パスワードの入力を待機し（ステップｎ２４１）、
その後、設定リモコンＲ１からテンキーボタンＢ９を介して１回目の新パスワードが入力されると、そのときの操作信号にリモコンＩＤが付加されてユニット１２へと送信される（リモコンステップｒ１１４）。これに伴いユニット制御部６１では、登録済リモコンＩＤを検索し、登録済のリモコンＩＤと判定すれば（ステップｎ２４２）、該ユニット制御部６１は入力間違いのないように新パスワードを２回入力させる（ステップｎ２４３）。そして、設定リモコンＲ１から再び新パスワードの２回目が入力操作されると（リモコンステップｒ１１５）、
ユニット制御部６１は新パスワードの操作信号に含まれているリモコンＩＤが登録済か否かを判定し、登録されていれば、２回打ちされた新パスワードの照合を行い（ステップｎ２４４）。一致していれば（ステップｎ２４５）、その新パスワードを上書きして登録暗証番号記憶部６７に記憶させる（ステップｎ２４６）。
【０１３２】
この１台のユニット１２へのパスワードの登録が完了すると、ユニット制御部６１は店舗内の他のユニット１２に対し、同登録情報を一斉に送信する（ステップｎ２４７）。また、１台のユニット１２の登録が完了した旨を表示ランプ１７の色別表示出力によって運用管理者に知らせることができる。例えば、紫色の点灯によって登録情報の書込みが完了したことを運用管理者に視認させることができる（ステップｎ２４８）。
【０１３３】
前記ステップｎ２３２で登録待ち状態のユニット１２に、設定リモコンＲ１から操作信号がない場合は、未受信の登録待ちなのでユニット制御部６１が、登録済のユニット１２からのブロードキャスト受信による情報の取得を要求し、前記ステップｎ２４７のブロードキャスト送信が許可されたユニット１２と通信接続する(ステップｎ２４９)。ユニット制御部６１はブロードキャスト受信すると、その受信内容にリモコンＩＤが登録されているか否かを判定し(ステップｎ２５０)、登録済であることを確認すれば、続いてその受信内容がパスワード登録要求であるか否かを判定し(ステップｎ２５１)、パスワード設定の信号であることを確認すれば、リモコンＩＤとリモコン番号とを関連付けてユニット１２の登録暗証番号記憶部６７に書込んで記憶させる(ステップｎ２５２)。
【０１３４】
このブロードキャスト受信によるユニット１２の登録が完了すると、ユニット制御部６１はブロードキャスト受信による登録操作が完了した旨を表示ランプ１７の紫色の点灯によって、運用管理者に確認させることができ、リモコン操作を明確に確認させて登録処理は終了する。これにより、全ユニット１２はリモコン設定状態となる(ステップｎ２５３)。なお、ステップｎ２３４とステップｎ２３７でパスワード設定でない操作信号の場合は、ユニット制御部６１が別の処理として制御する(ステップｎ２５４・ステップｎ２５５)。また、ステップｎ２５１でパスワードの登録要求でない処理の場合も、ユニット制御部６１は別の処理であるため、その別の処理に対応した制御を行う(ステップｎ２５６)。
【０１３５】
図２８は設定パスワードを登録した場合の具体的な登録完了確認の処理動作を示したフローチャートである。  
ユニット制御部６１は前記パスワードの登録操作が完了すると、確認待ちの待機状態にある(ステップｎ２６１)。この確認待機状態で設定リモコンＲ１から操作信号が送信されてきた場合(ステップｎ２６２)、該設定リモコンＲ１からは登録確認のためのボタンＢ２が押下される。この登録確認用のボタンＢ２が押下されることで、確認信号にリモコンＩＤが付加されて送信される（リモコンステップｒ１２１）。
【０１３６】
ユニット制御部６１は設定リモコンＲ１からの操作信号を受信すると、その操作信号に含まれているリモコンＩＤが登録済であるか否かを判定し（ステップｎ２６３）、登録済であれば、利用許可された設定リモコンＲ１であるため、該ユニット制御部６１は書込完了確認し、さらに店舗内の他のユニット１２に対しても登録確認するため、他のユニット１２に同登録確認情報を一斉に送信する（ステップｎ２６４）。また、前記１台の登録済のユニット１２に対しては、登録が完了したことにより、ユニット制御部６１は表示ランプ１７の点灯色を元に戻す表示制御を行う。例えば、紫色に点灯していた状態から青色の点灯に切換えて登録情報の書込みが完了したことを運用管理者に確認させる（ステップｎ２６５）。
【０１３７】
前記ステップｎ２６２で登録確認待ち状態のユニット１２に、設定リモコンＲ１からの確認用の操作信号がない場合は、ユニット制御部６１が登録済のユニット１２からブロードキャスト受信による登録確認情報を要求し、前記ステップｎ２６４のブロードキャスト送信が許可されたユニット１２と通信接続する（ステップｎ２６６）。ブロードキャスト受信したユニット１２は、その受信内容にリモコンＩＤが登録済であるか否かを判定し、登録済であることを確認すれば（ステップｎ２６７）、その受信内容が書込完了確認の操作信号であることを確認して（ステップｎ２６８）、このブロードキャスト受信による書込完了した旨を表示ランプ１７の点灯色の切換えによって知らせる。この場合も、元の青色に戻し、運用管理者に確認させて、書込完了動作が終了する（ステップｎ２６９）。なお、ステップｎ２６８で書込完了確認でない他の情報の場合は、その該当する他処理に移行する（ステップｎ２７０）。
【０１３８】
図２９はトレー１６を個別開錠許可する場合の具体的な処理動作を示したフローチャートである。  
ユニット制御部６１はリモコンまたはブロードキャストによる受信待ちの待機状態にある(ステップｎ２７１)。この受信待ち状態で開錠リモコンＲ２の個別開錠許可ボタンＢ２７が押されて、個別開錠許可信号にリモコンＩＤが付加されて送信されてきた場合（リモコンステップｒ１３１）、
ユニット制御部６１は開錠リモコンＲ２からの操作信号を受信すると、その操作信号に含まれているリモコンＩＤが登録済であるか否かを判定し（ステップｎ２７２）、ユニット制御部６１がリモコンＩＤを照合して適正な送信情報と判定すれば、その情報内容が個別開錠許可を要求する内容であるか否かを判定し（ステップｎ２７３）、
ユニット制御部６１は個別開錠許可の要求の信号であることを確認すれば、ユニット１２のトレー１６のロック部に対する個別開錠許可へ移行する（ステップｎ２７４）、ユニット制御部６１にトレー１６のロック部の個別開錠許可信号が与えられた場合は、表示ランプ１７に赤点滅を表示出力させて操作員にトレー１６の開錠が許可されたことを知らせる（ステップｎ２７５）。なお、ステップｎ２７３でトレー１６の個別開錠許可でない操作信号の場合は、別の処理であるためユニット制御部６１は、その別の処理に応じた制御を行う（ステップｎ２７６）。
【０１３９】
これにより、操作員は開錠リモコンＲ２を用いて個別開錠許可操作を行った際に、表示出力によって該リモコン操作を行った応答確認がとれる。
【０１４０】
図３０はトレー１６を個別開錠する場合の具体的な処理動作を示したフローチャートである。  
ユニット制御部６１は先の図２９で個別開錠許可されたことに伴いリモコンまたはブロードキャストによる開錠信号の受信待ち状態にある(ステップｎ２８１)。この受信待ち状態で操作員は開錠リモコンＲ２を用いてテンキーボタンＢ２９よりパスワードを入力させ、続いて該開錠リモコンＲ２の開操作ボタンＢ２８が押されて、開錠信号にリモコンＩＤが付加されて送信されてきた場合（リモコンステップｒ１４１）、
ユニット制御部６１は開錠リモコンＲ２からの操作信号を受信すると、その操作信号に含まれているリモコンＩＤが登録済であるか否かを判定し（ステップｎ２８２）、リモコンＩＤが登録済であれば適正な送信情報であるため、その情報内容が個別開錠許可中であることを表す内容であるか否かを判定し（ステップｎ２８３）、
ユニット制御部６１は個別開錠許可中を表す信号であることを確認すれば、ユニット制御部６１はパスワードを照合し、一致すれば（ステップｎ２８４）、ユニット制御部６１はユニット１２のトレー１６のロック部を個別に開錠する（ステップｎ２８５）、このトレー１６のロック部が個別に開錠された場合は、表示ランプ１７に開錠用に表示出力させて操作員にトレー１６が開錠されたことを知らせる（ステップｎ２８６）。これにより、操作員はトレー１６の内方の紙幣収納部２８から紙幣を回収することができる。
【０１４１】
図３１はトレー１６を一斉開錠許可する場合の具体的な処理動作を示したフローチャートである。  
ユニット制御部６１はリモコンまたはブロードキャストによる受信待ちの待機状態にある(ステップｎ２９１)。この受信待ち状態で開錠リモコンＲ２の一斉開錠許可ボタンＢ２６が押されて、一斉開錠許可信号にリモコンＩＤが付加されて送信されてきた場合（リモコンステップｒ１５１）、
ユニット制御部６１は開錠リモコンＲ２からの操作信号を受信すると、その操作信号に含まれているリモコンＩＤが登録済であるか否かを判定し（ステップｎ２９２）、そのリモコンＩＤを照合して適正な送信情報と判定すれば、その情報内容が一斉開錠許可を要求する内容であるか否かを判定し（ステップｎ２９３）、
ユニット制御部６１は一斉開錠許可の要求の信号であることを確認すれば、ユニット１２のトレー１６のロック部に対する一斉開錠許可へ移行する（ステップｎ２９４）、この１台のユニット１２への一斉開錠許可の処理へ移行すると、ユニット制御部６１は店舗内の他のユニット１２に対し、同登録情報を一斉に送信する（ステップｎ２９５）。
【０１４２】
ユニット制御部６１にトレー１６のロック部の一斉開錠許可信号が与えられた場合は、表示ランプ１７に赤点滅を表示出力させて操作員にトレー１６の一斉開錠が許可されたことを知らせる（ステップｎ２９６）。
【０１４３】
このように、店舗内の島において、任意の一台のユニット１２に対してトレーロック部３０の一斉開錠許可信号が与えられる。この場合、同じ島内の他のユニット１２は、一斉開錠許可信号の受信待ち状態で待機している（ステップｎ３０１）。
【０１４４】
前記一斉開錠許可信号の受信待ち状態の他のユニット１２のユニット制御部６１では、一斉開錠許可済のユニット１２からのブロードキャスト受信による情報の取得を要求し、前記ステップｎ２９５のブロードキャスト送信が許可されたユニット１２と通信接続する(ステップｎ３０２)。ユニット制御部６１はブロードキャスト受信すると、その受信内容にリモコンＩＤが登録されているか否かを判定し(ステップｎ３０３)、登録済であることを確認すれば、続いてその受信内容が一斉開錠許可の要求であるか否かを判定し(ステップｎ３０４)、一斉開錠許可の信号であることを確認すれば、島番号が一致しているかを確認し(ステップｎ３０５)、島番号が一致していれば、ユニット制御部６１は一斉開錠許可へ移行する（ステップｎ３０６）。ユニット制御部６１にトレー１６のロック部の一斉開錠許可信号が与えられた場合は、表示ランプ１７に赤点灯を表示出力させて操作員にトレー１６の一斉開錠が許可されたことを知らせる（ステップｎ３０７）。
【０１４５】
なお、ステップｎ２９２で一斉開錠許可でない操作信号の場合はユニット制御部６１が別の処理として制御する(ステップｎ２９７)。また、ステップｎ３０４で一斉開錠許可の要求でない処理の場合もユニット制御部６１は別の処理であるため、その別の処理に対応した制御を行う(ステップｎ３０８)。これにより、操作員は開錠リモコンＲ２を用いて一斉開錠許可操作を行った際に、表示出力によって該リモコン操作を行った応答確認がとれる。
【０１４６】
図３２はトレー１６を個別開錠する場合の具体的な処理動作を示したフローチャートである。  
ユニット制御部６１は先の図３１で一斉開錠許可されたことに伴いリモコンまたはブロードキャストによる開錠信号の受信待ち状態にある(ステップｎ３１１)。この受信待ち状態で操作員は開錠リモコンＲ２を用いてテンキーボタンＢ２９よりパスワードを入力させ、続いて該開錠リモコンＲ２の開操作ボタンＢ２８が押されて、開錠信号にリモコンＩＤが付加されて送信されてきた場合（リモコンステップｒ１６１）、
ユニット制御部６１は開錠リモコンＲ２からの操作信号を受信すると、その操作信号に含まれているリモコンＩＤが登録済であるか否かを判定し（ステップｎ３１２）、リモコンＩＤが登録済であれば適正な送信情報であるため、その情報内容が一斉開錠許可中であることを表す内容であるか否かを判定する（ステップｎ３１３）。
【０１４７】
ユニット制御部６１は個別開錠許可中を表す信号であることを確認すれば、ユニット制御部６１はパスワードを照合し、一致すれば（ステップｎ３１４）、ユニット制御部６１はユニット１２のトレー１６のロック部を開錠する（ステップｎ３１５）。このトレー１６のロック部が開錠された場合は、ユニット制御部６１は店舗内の同じ島内の他のユニット１２に対し、同登録情報を一斉に送信する(ステップｎ３１６)。また、表示ランプ１７に開錠用に表示出力させて操作員にトレー１６が開錠されたことを知らせる（ステップｎ３１７）。これにより、操作員はトレー１６の内方の紙幣収納部２８から紙幣を回収することができる。
【０１４８】
このように、店舗内の島において、任意の一台のユニット１２に対してトレーロック部３０の一斉開錠信号が与えられた場合、同じ島内の他のユニット１２は、一斉開錠信号の受信待ち状態にある（ステップｎ３２１）。
【０１４９】
前記一斉開錠信号の受信待ち状態にある他のユニット１２のユニット制御部６１では、一斉開錠済のユニット１２からのブロードキャスト受信による情報の取得を要求し、前記ステップｎ３１６のブロードキャスト送信が許可されたユニット１２と通信接続する(ステップｎ３２２)。ユニット制御部６１はブロードキャスト受信すると、その受信内容にリモコンＩＤが登録されているか否かを判定し(ステップｎ３２３)、登録済であることを確認すれば、続いてその受信内容が一斉開錠の要求であるか否かを判定し(ステップｎ３２４)、一斉開錠許可中であることを確認すれば(ステップｎ３２５)、続いてパスワードを照合し、パスワードが一致していれば(ステップｎ３２６)、ユニット制御部６１はトレーロック部３０の一斉開錠を実行する(ステップｎ３２７)。このトレーロック部３０が一斉に開錠された場合は、表示ランプ１７に開錠済の点灯色あるいは点滅等を表示出力させて操作員にトレー１６が一斉に開錠されたことを知らせる（ステップｎ３２８）。
【０１５０】
なお、ステップｎ３２４で一斉開錠の要求でない処理の場合は別の処理であるため、ユニット制御部６１はその別の処理に対応した制御を行う(ステップｎ３２８)。
【０１５１】
上述のように、ユニットに備えられる紙幣収納部を、リモコンを用いて外部から開操作する場合、リモコン単体に全ての重要な機能を持たせるのではなく、設定用と、これに関連付けされたトレー開操作用との２種類のリモコンに分担させることで、リモコン単体での不正使用を完全に防止することができる高セキュリティを持たせたリモコンの利用を可能にして、信頼性の高い遊技場の運用を図ることができる。
【実施例２】
【０１５２】
次に、管理コンピュータ１１からユニット１２に対してダウンロードされる更新情報の管理機能について説明する。  
図３３はユニットとリモコンの制御回路ブロック図であり、図３４は管理コンピュータからリモコンに至るまでの更新情報の処理動作を示すフローチャートである。ここで、実施例２は実施例１と比較して、ユニット１２側の送信機能と、リモコンＲ１，Ｒ２側の受信機能のみが異なり、他は同じであるため、同一の部分の説明についてはその説明を省略し、異なる部分についてのみ説明する。
【０１５３】
前記更新情報の管理機能は、管理コンピュータ１１からユニット１２に対して、更新情報がダウンロードされたとき、そのダウンロードされた更新情報をユニット１２側で記憶管理し、この記憶管理した更新情報を、リモコンＲ１，Ｒ２との通信時に該ユニット１２からリモコンＲ１，Ｒ２に対して送信し、そのリモコンＲ１，Ｒ２に記憶されている情報を更新する機能を持たせている。
【０１５４】
前記ユニット１２において更新情報を管理する際は、ユニット制御部６１に制御管理されている更新情報記憶部３３１に更新情報を記憶させて管理させることができる。この更新情報記憶部３３１では管理コンピュータ１１からダウンロードされた遊技運用上必要な遊技変更情報及びセキュリティ情報等の更新情報を記憶する。その後、各リモコンＲ１，Ｒ２との通信時に更新情報を送信する場合は、該ユニット１２の送信部３３２から例えば光通信により更新情報をリモコンＲ１，Ｒ２に送信させて、対応するリモコンＲ１，Ｒ２に更新情報を受信させる。
【０１５５】
一方、リモコンＲ１，Ｒ２側にあっては、実施例１の送信機能だけでなく、更新情報を光通信により受信する受信機能を備えた受信部３３３，３３４を備えている。これにより、各リモコンＲ１，Ｒ２とユニット１２とを通信させた場合、その時点で送受信させることができ、このうちユニット１２の更新情報記憶部３３１に送信待機されていた更新情報がリモコンＲ１，Ｒ２側に受信される。
【０１５６】
また、管理コンピュータから各ユニット１２へとダウンロードする場合、全てのユニット１２に一斉に送信（ブロードキャスト）してもよく、特定の１台のユニット１２にダウンロードした後、該特定のユニット１２から他のユニット１２に一斉送信するように構成してもよい。
【０１５７】
さらに、ユニット１２から各リモコンＲ１，Ｒ２に更新情報を送信する場合も、ユニット１２にリモコンＲ１，Ｒ２を通信対応させた時点で、更新情報を送信するように設定してもよく、送信済みのリモコンＲ１，Ｒ２から未受信の他のリモコンＲ１，Ｒ２へと、リモコン間同士で更新情報を送信するように構成してもよい。
【０１５８】
次に、管理コンピュータ１１からユニット１２を経由させてリモコンＲ１，Ｒ２の管理情報を更新した処理動作を図３４のフローチャートを参照して説明する。  
遊技ホールに設置されている各ユニット１２は上位の管理コンピュータ１１に通信接続されて運用管理された状態にあり、管理コンピュータ１１から更新情報等の各種の制御情報が各ユニット１２にダウンロードされる(ステップｎ３３１)。該ユニット１２に更新情報がダウンロードされると(ステップｎ３３２)、各ユニット１２ではユニット制御部６１がダウンロードされた更新情報を更新情報記憶部３３１に記憶させ、ここに更新情報を送信待機させる(ステップｎ３４３)。
【０１５９】
ユニット１２は各リモコンＲ１，Ｒ２との間で更新情報送信待ちの待機状態にあり(ステップｎ３４４)、この待機状態でリモコンＲ１，Ｒ２からの操作信号が送信されてきた場合(ステップｎ３４５)、ユニット制御部６１はそのリモコンＲ１，Ｒ２からの確認用の操作信号を受信すると、その操作信号に含まれているリモコンＩＤが登録済であるか否かの有効性を判定し（ステップｎ３４６）、未登録のリモコンと判定すれば無効であるため受付拒否する。これに対し、登録済であれば、利用許可されたリモコンＲ１，Ｒ２であるため、ユニット制御部６１は通信を許可し、該ユニット１２の送信部３３２から更新情報記憶部３３１に送信待機されていた更新情報を送信させて、対応するリモコンＲ１，Ｒ２に更新情報を受信させる。これにより、リモコンＲ１，Ｒ２は受信部３３３，３３４により更新情報を受信して、それまでにリモコンＲ１，Ｒ２に記憶されていた管理情報が書き換えられて更新される（ステップｎ３４７）。
【０１６０】
以上のごとく構成すれば、管理コンピュータ１１から遊技運用上必要な遊技変更情報及びセキュリティ情報等の各種の更新情報を、各リモコンＲ１，Ｒ２に記憶させて遊技ホールにおける管理性能の向上を図ることができる。
【０１６１】
この発明の構成と、上述の実施例の構成との対応において、
この発明の第１無線解錠装置は、実施例の設定リモコンＲ１に対応し、
以下同様に、
第２無線解錠装置は、開錠リモコンＲ２に対応し、
利用許可情報は、暗証番号、リモコン番号、リモコンＩＤ、島番号に対応し、
利用許可情報登録部は、登録暗証番号記憶部６７に対応し、
遊技媒体貸出装置の制御部及び判定部は、ユニット制御部６１に対応し、
遊技媒体貸出装置は、ユニット１２に対応し、
登録指示手段は、設定リモコンの制御部６９に対応し、
照合手段は、開錠リモコン固有番号記憶部７３に対応し、
ロック部は、トレーロック部３０に対応し、
ロック解錠情報記憶部及び解錠領域記憶部は、解除暗証番号記憶部６５に対応し、
遊技媒体貸出装置の固有情報記憶部は、リモコン固有番号記憶部６６に対応し、
登録情報記憶部は、登録暗証番号記憶部６７に対応し、
表示部は、表示ランプ１７に対応し、
第１無線解錠装置の固有情報記憶部は、設定リモコン固有番号記憶部７０に対応し、
ロック解錠情報記憶指示用の入力部、登録情報記憶指示用の入力部、固有情報入力部、登録入力部、書込完了確認入力部、固有情報表示入力部は、各入力ボタンＢ１〜Ｂ１１に対応し、
第２無線解錠装置の固有情報記憶部は、開錠リモコン固有番号記憶部７３に対応し、
解錠情報入力部、個別解錠許可指示入力部、一斉解錠許可指示入力部、解錠実行入力部、個別情報入力部は、各入力ボタンＢ２１〜Ｂ３１に対応し、
更新情報管理手段は、更新情報記憶部３３１に対応し、
解錠情報スタック部は、暗証番号スタック部７２に対応し、
消去手段は、開錠リモコンの制御部７１に対応するも、この発明は請求項に記載される技術思想に基づいて応用することができ、上述の一実施例の構成のみに限定されるものではない。
【図面の簡単な説明】
【０１６２】
【図１】遊技媒体貸出システムの主要構成図。
【図２】トレーを引出した状態を示すユニットの斜視図。
【図３】ユニットとユニットホルダーを示す側面図。
【図４】トレーロック部のロック状態とロック解除状態とを示す側面図。
【図５】２種類のリモコンの平面図。
【図６】ユニットと２種類のリモコンの制御回路ブロック図。
【図７】２種類のリモコンを設定登録または削除する場合の概略処理動作を示すフローチャート。
【図８】２種類のリモコンを用いた各種の概略処理動作を示すフローチャート。
【図９】開錠リモコンの暗証番号スタック部の消去処理動作を示すフローチャート。
【図１０】開錠リモコンの具体的な登録処理動作を示すフローチャート。
【図１１】図１０に続くフローチャート。
【図１２】開錠リモコンの具体的な登録完了確認の処理動作を示すフローチャート。
【図１３】開錠リモコンの具体的な削除処理動作を示すフローチャート。
【図１４】図１３に続くフローチャート。
【図１５】開錠リモコンの具体的な削除完了確認の処理動作を示すフローチャート。
【図１６】設定リモコンの具体的な登録処理動作を示すフローチャート。
【図１７】図１６に続くフローチャート。
【図１８】設定リモコンの具体的な登録完了確認の処理動作を示すフローチャート。
【図１９】設定リモコンの具体的な削除処理動作を示すフローチャート。
【図２０】図１９に続くフローチャート。
【図２１】設定リモコンの具体的な削除完了確認の処理動作を示すフローチャート。
【図２２】リモコン番号を表示させる場合の具体的な処理動作を示すフローチャート。
【図２３】開錠パスワードを登録する場合の具体的な登録処理動作を示すフローチャート。
【図２４】図２３に続くフローチャート。
【図２５】開錠パスワードを登録した場合の具体的な登録完了確認の処理動作を示すフローチャート。
【図２６】設定パスワードを登録する場合の具体的な登録処理動作を示すフローチャート。
【図２７】図２６に続くフローチャート。
【図２８】設定パスワードを登録した場合の具体的な登録完了確認の処理動作を示すフローチャート。
【図２９】トレーを個別開錠許可する場合の具体的な処理動作を示すフローチャート。
【図３０】トレーを個別開錠する場合の具体的な処理動作を示すフローチャート。
【図３１】トレーを一斉開錠許可する場合の具体的な処理動作を示すフローチャート。
【図３２】トレーを一斉開錠する場合の具体的な処理動作を示すフローチャート。
【図３３】実施例２のユニットとリモコンの制御回路ブロック図。
【図３４】実施例２の管理コンピュータからリモコンに至るまでの更新情報の処理動作を示すフローチャート。
【符号の説明】
【０１６３】
１２…ユニット
１６…トレー
１７…表示ランプ
１９…リモコン番号表示部
２０…受信部
２８…紙幣収納部
３０…トレーロック部
６１…ユニット制御部
６５，６６，６７，７０，７３…記憶部
Ｒ１…設定リモコン
Ｒ２…開錠リモコン
３３１…更新情報記憶部
【図１】
2007330781.tif 000003
【図２】
2007330781.tif 000004
【図３】
2007330781.tif 000005
【図４】
2007330781.tif 000006
【図５】
2007330781.tif 000007
【図６】
2007330781.tif 000008
【図７】
2007330781.tif 000009
【図８】
2007330781.tif 000010
【図９】
2007330781.tif 000011
【図１０】
2007330781.tif 000012
【図１１】
2007330781.tif 000013
【図１２】
2007330781.tif 000014
【図１３】
2007330781.tif 000015
【図１４】
2007330781.tif 000016
【図１５】
2007330781.tif 000017
【図１６】
2007330781.tif 000018
【図１７】
2007330781.tif 000019
【図１８】
2007330781.tif 000020
【図１９】
2007330781.tif 000021
【図２０】
2007330781.tif 000022
【図２１】
2007330781.tif 000023
【図２２】
2007330781.tif 000024
【図２３】
2007330781.tif 000025
【図２４】
2007330781.tif 000026
【図２５】
2007330781.tif 000027
【図２６】
2007330781.tif 000028
【図２７】
2007330781.tif 000029
【図２８】
2007330781.tif 000030
【図２９】
2007330781.tif 000031
【図３０】
2007330781.tif 000032
【図３１】
2007330781.tif 000033
【図３２】
2007330781.tif 000034
【図３３】
2007330781.tif 000035
【図３４】
2007330781.tif 000036